(57)【特許請求の範囲】
【請求項１】
原稿画像情報と、原稿とは異なる画像情報である特定画像情報とを合成する画像編集記録装置において、
前記原稿画像情報の画像処理である第１の処理と前記特定画像情報の画像処理である第２の処理の指示を出す画像編集部と、
前記画像編集部の指示により、前記第１の処理を行う第１の処理部と、
前記画像編集部の指示により、前記第２の処理を行う第２の処理部と、
処理が行われた原稿画像情報と特定画像情報とを１つの画像に合成する画像合成部と、
合成画像情報を画像として出力記録する画像情報出力部とを備え、
前記画像編集部は、前記原稿画像情報と前記特定画像情報のいずれもがカラー画像情報であった場合、いずれかの画像情報を白黒画像情報に置き換えるように、前記第１または第２の処理を確定することを特徴とする画像編集記録装置。
【請求項２】
原稿画像情報と、原稿とは異なる画像情報である特定画像情報とを合成する画像編集記録装置において、
前記原稿画像情報の画像処理である第１の処理と前記特定画像情報の画像処理である第２の処理の指示を出す画像編集部と、
前記画像編集部の指示により、前記第１の処理を行う第１の処理部と、
前記画像編集部の指示により、前記第２の処理を行う第２の処理部と、
処理が行われた原稿画像情報と特定画像情報とを１つの画像に合成する画像合成部と、
合成画像情報を画像として出力記録する画像情報出力部とを備え、
前記画像編集部は、前記原稿画像情報と前記特定画像情報のいずれもが白黒画像情報であった場合、いずれかの画像情報をカラー画像情報に置き換えるように、前記第１または第２の処理を確定することを特徴とする画像編集記録装置。
【発明の詳細な説明】
【０００１】
【発明の属する技術分野】
本発明は、原稿から読み取った画像情報に特定画像情報（広告画像等）を合成して出力する画像編集記録装置に関するものである。
【０００１】
【従来の技術】
一般的に、カラー画像記録装置、例えばカラーデジタル複写機においては、画像読取部から入力された原稿の画像に対して所定の画像処理を施して、出力部からカラー原稿の画像を出力したり、パーソナルコンピュータなどの外部機器において編集された画像情報を受け取り画像情報を出力する。さらに最近では、カラー原稿の画像に対して所定の処理を施して表現力豊かなカラー画像に変更したり、複数のカラー画像を同時に編集するなど多くの編集機能を備えた高機能の装置となっている。
【０００２】
また、最近のコピーサービス市場においては、従来から白黒の複写機が主流であったが、デジタルビデオカメラやデジタルカメラ、パーソナルコンピュータなどカラー画像を扱う機器が携帯端末として数多く商品化されるようになり、個人的にもカラーデジタル画像を取り扱う機会が増えている。このような中で複写機もカラーデジタル複写機が市場の要望に応じて商品化されてきていると共に、コンビニエンスストアーなど小規模の小売店でもカラーコピーサービスとして導入されるようになってきている。
【０００３】
【発明が解決しようとする課題】
しかし、このようなカラーデジタル複写機においては、従来から商品化されていた白黒の複写機をカラーデジタル複写機に置き換えただけで、カラーコピーが提供できるといった点では従来と異なるものの、複写機の入れ替えなどに必要な経費の面から見ると、カラーデジタル複写機に置き換えてまでサービスを行うかという点で疑問を感じるところがある。
また、白黒コピーとカラーコピーの１枚あたりの価格にまだ大きな差があって、コピーサービス市場において、カラーデジタル複写機の著しい伸びを期待できるまでは至っていないのが現状である。
【０００４】
そこで、何らかの付加価値を付けて、経費の不利を解消することが考えられる。例えば、特開昭５８−８７５６４号公報に開示されているように、用紙の所定位置に原稿上の画像情報とは異なる付加情報（複写の年月日、ページ数等）を記録するものがある。しかし、こうした機能だけでは、カラーデジタル複写機である必要はなく、又、付加情報と原稿情報の区別も不明確となってしまうおそれもある。
【０００５】
本発明の目的は、原稿画像情報に影響を与えないように考慮しながら特定画像情報を合成して、用紙上にそれぞれの画像を効果的に記録出力し、装置を提供する側からみても、また、利用する側から見ても、便利で使いやすい付加機能、付加価値を持たせる画像編集記録装置を提供することである。
【０００６】
【課題を解決するための手段】
本発明は、原稿画像情報と、原稿とは異なる画像情報である特定画像情報とを合成する画像編集記録装置において、前記原稿画像情報の画像処理である第１の処理と前記特定画像情報の画像処理である第２の処理の指示を出す画像編集部と、前記画像編集部の指示により、前記第１の処理を行う第１の処理部と、前記画像編集部の指示により、前記第２の処理を行う第２の処理部と、処理が行われた原稿画像情報と特定画像情報とを１つの画像に合成する画像合成部と、合成画像情報を画像として出力記録する画像情報出力部とを備え、前記画像編集部は、前記原稿画像情報と前記特定画像情報のいずれもがカラー画像情報であった場合、いずれかの画像情報を白黒画像情報に置き換えるように、前記第１または第２の処理を確定することを特徴とする。
【０００７】
また、本発明は、原稿画像情報と、原稿とは異なる画像情報である特定画像情報とを合成する画像編集記録装置において、前記原稿画像情報の画像処理である第１の処理と前記特定画像情報の画像処理である第２の処理の指示を出す画像編集部と、前記画像編集部の指示により、前記第１の処理を行う第１の処理部と、前記画像編集部の指示により、前記第２の処理を行う第２の処理部と、処理が行われた原稿画像情報と特定画像情報とを１つの画像に合成する画像合成部と、合成画像情報を画像として出力記録する画像情報出力部とを備え、前記画像編集部は、前記原稿画像情報と前記特定画像情報のいずれもが白黒画像情報であった場合、いずれかの画像情報をカラー画像情報に置き換えるように、前記第１または第２の処理を確定することを特徴とする。
【００３２】
【発明の実施の形態】
以下、本発明の実施の形態について、図面を参照しながら説明する。
【００３３】
＜カラーデジタル複写機についての説明＞
図１は、本発明に係る画像編集記録装置の実施形態であるカラーデジタル複写機の構成を示す概略断面図である。カラーデジタル本体１の上面には、原稿台２及び操作パネル（図示せず）が設けられている。原稿台２の上面には、該原稿台２に対して開閉可能な状態で支持され、かつ原稿台２面に対して所定の位置関係をもって自動原稿送り装置３が装着されている。さらに、このカラーデジタル本体１の内部には画像読み取り部４及び画像形成部９が構成されている。
【００３４】
まず、カラーデジタル本体１の上面において原稿台２上に装着された自動原稿送り装置３は、両面原稿に対応した両面自動原稿送り装置（ＲＡＤＦ）である。この自動原稿送り装置３は、原稿の一方の面が原稿台２の所定位置において対向するように原稿を搬送し、この一方の面について画像読み取りが終了した後に、他方の面が原稿台２の所定位置において対向するよう原稿を反転して原稿台２に向かって搬送する。
そして、１枚の原稿について両面の画像読み取りが終了した後に、この原稿を排出し、次の原稿について両面搬送動作を実行する。なお、以上の原稿の搬送および表裏反転の動作は、カラーデジタル全体の動作に関連して制御されるものである。
【００３５】
また、自動原稿送り装置３により原稿台２上に搬送されてきた原稿の画像を読み取るために、原稿台２の下方には該原稿台２の下面に沿って平行に往復移動する原稿走査体を有する画像読み取り部４が配置されている。
この画像読み取り部４は、第１の走査ユニット５と、第２の走査ユニット６と、光学レンズ７と、光電変換素子８とから構成されている。第１の走査ユニット５は、原稿画像面を露光する露光ランプと原稿からの反射光像を所定の方向に向かって偏向する第１ミラーとからなり、原稿台下面において一定の距離を保ちながら所定の走査速度で平行往復移動する。第２の走査ユニット６は、第１の走査ユニット５の第１ミラーにより偏向された原稿からの反射光像をさらに所定の方向に向かって偏向する第２・第３ミラーからなり、第１の走査ユニット５と一定の速度関係をもって平行往復移動する。光学レンズ７は、第２の走査ユニット６の第３ミラーにより偏向された原稿からの反射光像を縮小して所定の位置に光像を結像させる。光電変換素子８は、３ラインのカラーＣＣＤであり、光学レンズにより縮小された光像が結像され、光像を順次光電変換して原稿からの反射光像を電気信号として出力する。すなわち、白黒原稿あるいはカラー原稿画像を読み取りＲＧＢの色成分に色分解したラインデータを出力することのできる。この光電変素子８により電気信号に変換された原稿画像情報は、さらに後述する画像処理部に転送され画像データとして所定の処理が施される。
【００３６】
次にカラーデジタル複写機１の下部側に位置する画像形成部９について説明する。
図１に示す画像形成部９内の下側には、給紙機構１１が設けられており、用紙トレイ内に積載収容されている用紙を１枚ずつ分離して、画像を記録する記録部１０の側に向かって供給する。そして１枚ずつ分離供給された用紙は、記録部１０の手前に配置されたレジストローラ対１２によりタイミング制御搬送され、記録部１０とタイミングをとって再供給搬送される。記録部１０の下方には、略平行にのびた転写搬送ベルト機構１３が配置されており、駆動ローラ１４と従動ローラ１５などの複数のローラ間に張架された転写搬送ベルト１６に用紙を静電吸着させて搬送する構成となっている。
【００３７】
さらに転写搬送ベルト機構１３の下流側には用紙上に転写形成されたトナー像を用紙上に定着させるための定着装置１７が配置されており、この定着装置１７の定着ローラニップ間を通過した用紙は搬送方向切り換えゲート１８を経て排出ローラ１９により装置外壁に取り付けられている排紙トレイ２０上に排出される。
【００３８】
なお、切り換えゲート１８は定着後の用紙を装置外へと排出するか、再び記録部１０に向かって再供給するか選択的に用紙の搬送経路を切り換えるものである。この切り換えゲート１８により再び記録部１０に向かって搬送方向を切り換えられた用紙は、スイッチバック搬送経路２１を介して表裏反転の後、記録部１０へと再度供給される。
【００３９】
また、駆動ローラ１４と従動ローラ１５などにより略平行に張架された転写搬送ベルト１６の上側には、該転写搬送ベルト１６に近接して搬送経路上流側から順に第１、第２、第３及び第４の画像形成ステーションＰａ，Ｐｂ，Ｐｃ，Ｐｄが並設され、記録部１０を構成している。そして、転写搬送ベルト１６は、駆動ローラ１４によって、図１において矢印Ｚで示す方向に摩擦駆動され、前にも述べたように上記給紙機構１１を通じて給送される転写材を担持し、上述した画像形成ステーションＰａ，Ｐｂ，Ｐｃ，Ｐｄへと順次搬送する。
【００４０】
各画像形成ステーションＰａ〜Ｐｄは実質的に同一の構成を有し、図１に矢印Ｆ方向に回転駆動される感光体ドラム２２ａ，２２ｂ，２２ｃ，２２ｄを含む。各感光体ドラム２２ａ〜２２ｄの周辺には、感光体ドラム２２ａ〜２２ｄを一様に帯電する帯電器２３ａ，２３ｂ，２３ｃ，２３ｄと、感光体ドラム２２ａ〜２２ｄ上に形成された静電潜像を現像する現像装置２４ａ，２４ｂ，２４ｃ，２４ｄと、現像されたトナー像を転写材へ転写する転写用放電器２５ａ，２５ｂ，２５ｃ，２５ｄと、感光体ドラム２２ａ〜２２ｄ上に残留するトナーを除去するクリーニング手段２６ａ，２６ｂ，２６ｃ，２６ｄが感光体ドラム２２ａ〜２２ｄの回転方向に沿って順次配置されている。
【００４１】
また、各感光体ドラム２２ａ〜２２ｄの上方には、画像データに応じて変調されたドット光を発する半導体レーザ素子と、半導体レーザ素子からの光を主走査方向に偏向させるための偏向装置と、偏向装置により偏向されたレーザ光を感光体表面に結像させるためのｆθレンズなどから構成されるレーザービームスキャナユニット２７ａ，２７ｂ，２７ｃ，２７ｄがそれぞれ設けられている。レーザービームスキャナユニット２７ａにはカラー原稿画像のイエロー成分像に対応する画素信号が、レーザービームスキャナユニット２７ｂにはカラー原稿画像のマゼンタ成分像に対応する画素信号が、そして、レーザービームスキャナユニット２７ｃにはカラー原稿画像のシアン成分像に対応する画素信号が、そして、レーザービームスキャナユニット２７ｄにはカラー原稿画像のブラック成分像に対応する画素信号がそれぞれ入力される。
【００４２】
これにより記録部１０の感光体ドラム２２ａ〜２２ｄ上には色変換された原稿画像情報に対する静電潜像が形成され、記録部１０の上記現像装置２４ａにはイエロー色のトナーが、現像装置２４ｂにはマゼンタ色のトナーが、現像装置２４ｃにはシアン色のトナーが、現像装置２４ｄにはブラック色のトナーがそれぞれ収容されているので、記録部１０において色変換された原稿画像情報が各色のトナー像として再現される。
【００４３】
また、第１の画像形成ステーションＰａと給紙機構１１との間には用紙吸着用（ブラシ）帯電器２８が設けられており、この吸着用帯電器２８は転写搬送ベルト１６の表面を帯電させ、給紙機構１１から供給される転写材を上記搬送ベルト１６上に確実に吸着させた状態で第１の画像形成ステーションＰａから第４の画像形成ステーションＰｄの間をずれることなく搬送させる。
一方、第４の画像形成ステーションＰｄと定着装置１７との間で駆動ローラ１４のほぼ真上部には除電器（図示されず）が設けられており、この除電器には搬送ベルト１６に静電吸着されている転写材を分離するための交流電流が印加されている。
【００４４】
上記構成のカラーデジタル複写機において、転写材としてカットシート状のものが使用され、この転写材が給紙カセットから送り出されて給紙機構１１の給紙搬送経路のガイド内に供給されると、その転写材の先端部分がセンサー（図示せず）にて検知され、このセンサから出力される検知信号によって一旦用紙はレジストローラ対１２により停止する。そして、各画像形成ステーションＰａ〜Ｐｄとタイミングをとって図１の矢印Ｚ方向に回転している搬送ベルト１６側に送られる。このとき先に述べた吸着用帯電器２８により搬送ベルト１６は所定の帯電が施されているので、各画像形成ステーションＰａ〜Ｐｄを通過する間、安定搬送供給されることとなる。
【００４５】
各画像形成ステーションＰａ〜Ｐｄにおいては、各色のトナー像が上記構成によりそれぞれ形成され、上記搬送ベルト１６により静電吸着搬送される転写材の支持面上に重ね合わされ、第４の画像形成ステーションＰｄによる画像の転写が完了すると、用紙の先端部分から除電用放電器により搬送ベルト１６上から剥離され定着装置１７へと導かれる。そして最後にトナー画像が定着された転写材は転写材排出口から排紙トレイ２０上へと排出される。
【００４６】
図２は、スタンドアローンとしてのカラーデジタル複写機１ではなく、カラーデジタル複写機１を核としたネットワークシステム構成を示した図である。
画像情報入力方法としては、カラーデジタル複写機１の画像読み取り部４から原稿情報入力するのみなず、ネットワーク接続されたパーソナルコンピュータ３２、デジタルカメラ３３、デジタルビデオカメラ３４、通信携帯端末３５などの外部機器からの画像情報入力に対応している。また、インターネットやイントラネットあるいは高成長する通信インフラを通じ、遠隔地より画像情報入力が可能となっている。従って、これらの画像情報を出力するカラーデジタル複写機はマルチファンクションプリンタとして、またネットワークプリンタとして重要な役割を果たすとともに、カラーデジタル複写機のもつ機能の他に、さらに利用する側から見て付加価値を持たせることができるシステム構成となっている。
【００４７】
次にカラーデジタル複写機に搭載されているカラー画像情報の画像処理部分の構成および機能を説明する。
図３は、カラーデジタル複写機１に含まれている画像処理部分のブロック図である。このカラーデジタル複写機１に含まれている画像処理部は、画像情報入力部４０、画像処理部４１、画像情報出力部４２、ハードディスク装置もしくはＲＡＭ（ランダムアクセスメモリ）等から構成される画像メモリ４３、中央処理装置（ＣＰＵ）４４、画像編集部４５、外部インターフェイス部４６，４７、特定画像情報管理部４８から構成されている。
【００４８】
画像情報入力部４０は、３ラインのカラーＣＣＤ８にて読み取られたラインデータのライン画像レベルを補正するシェーディング補正回路４０ａ、３ラインのカラーＣＣＤ８にて読み取られた画像ラインデータのずれを補正するラインバッファなどのライン合わせ部４０ｂ、３ラインのカラーＣＣＤ８から出力される各色のラインデータの色データを補正するセンサ色補正部４０ｃ、各画素の信号の変化にめりはりを持たせるよう補正するＭＴＦ補正部４０ｄ、画像の明暗を補正して視感度補正を行うγ補正部４０ｅなどから成る。
【００４９】
画像処理部４１は、画像情報入力部４０から入力されるカラー画像信号であるＲＧＢ信号よりモノクロデータを生成するモノクロデータ生成部４１ａ（白黒原稿）と、ＲＧＢ信号を記録装置の各記録部に対応したＹＭＣ信号に変換し、またクロック変換する入力処理部４１ｂ、入力された画像データが文字部なのか網点写真なのか印画紙写真なのかをそれぞれを分離する領域分離部４１ｃ、入力処理部４１ａから出力されるＹＭＣ信号に基づいて下色除去処理を行い黒生成する黒生成部４１ｄ、各色変換テーブルに基づいてカラー画像信号の各色を調整する色補正回路４１ｅ、設定されている倍率に基づいて入力された画像情報を倍率変換するズーム処理回路４１ｆ、および空間フイルタ４１ｇ、多値誤差拡散や多値ディザなどの階調性を表現するための中間調処理部４１ｈなどから成っている。
【００５０】
画像メモリ４３は、４基のハードディスク（回転記憶媒体）４３ａ〜４３ｄ、遅延バッファメモリ（半導体メモリ）４３ｅ、画像合成メモリ（半導体メモリ）４３ｆからなる。中間調処理された各色画像データは、この画像メモリ４３に一旦貯えられる。
ハードディスク４３ａ〜４３ｄは、画像処理部４１からシリアル出力される８ビット４色（３２ビット）の画像データを順次受け取り、バッファに一時的に貯えながら３２ビットのデータから８ビット４色の画像データに変換して色毎の画像データとして記憶する。また、広告画像等の特定画像情報も該ハードディスク４３ａ〜４３ｄに記憶される。
また、画像合成メモリ４３ｆでは、原稿画像と広告画像等の複数の画像の合成が行なわれる。各画像形成ステーションＰａ〜Ｐｄの位置が異なるため、画像メモリ４３の遅延バッファメモリ４３ｅに各色画像データを一旦記憶させ、それぞれ時間をずらすことにより、各レーザースキャナユニット２７ａ〜２７ｄに画像データを送りタイミングを合わせ色ずれを防ぐ。
【００５１】
画像情報出力部４２は、中間調処理部４１ｈからの各色画像データに基づいてパルス幅変調を行うレーザコントロールユニット４２ａ、レーザコントロールユニット４２ａから出力される各色の画像信号に応じたパルス幅変調信号に基づいてレーザ記録を行う各色のレーザスキャナユニット２７ａ〜２７ｄからなる。
【００５２】
中央処理装置（ＣＰＵ）４４は、画像情報入力部４０、画像処理部４１、画像情報出力部４２、画像メモリ４３、さらに後述する画像編集部４５、外部インターフェイス部４６，４７、特定画像情報管理部４８を所定のシーケンスに基づいてをコントロールするものである。
【００５３】
画像編集部４５は、画像情報入力部４０、画像処理部４１、あるいは後述するインターフェースを経て一旦画像メモリ４３に記憶された画像データに対して所定の画像編集を施すためのものである。本発明の原稿画像と広告画像の合成処理もここで処理され、合成画像データの編集作業は、画像合成用メモリ４３ｆを用いて行われる。
【００５４】
さらにインターフェイス４６は、カラーデジタル複写機１とは別に設けられた外部の画像入力処理装置（通信携帯端末、デジタルカメラ、デジタルビデオカメラ等）からの画像データを受け入れるための通信インターフェイス手段である。
なお、インターフェース４６から入力される画像データも、一旦画像処理部４１に入力して色空間補正などを行うことでカラーデジタル複写機１の画像記録部１０で取扱うことのできるデータレベルに変換してハードディスク４３ａ〜４３ｄに記憶管理されることとなる。
【００５５】
インターフェース４７は、パーソナルコンピュータ２により作成された画像データを入力するプリンタインターフェースであり、またＦＡＸ受信した画像データを受け入れるための白黒またはカラーＦＡＸインターフェースである。このインターフェース４７から入力される画像データは、すでにＣＭＹＫ信号であり、一旦中間調処理４１ｈを施して画像メモリ４３のハードディスク４３ａ〜４３ｄに記憶管理されることとなる。この両インターフェイスより入力された画像情報は原稿画像にもなり、広告画像にもなる。
【００５６】
特定画像情報管理部４８は、後述する管理情報に基づいて画像メモリ４３に記憶する特定画像情報を記憶管理するものである。場合によっては、この管理情報に基づいて合成する特定画像情報の選択判断を行ったりもする。但し、後述する第１及び第２実施形態においては、特定画像情報管理部４８は存在せず、管理情報による管理はしていない。
【００５７】
図４はデジタル複写機１の装置全体の各部を中央制御装置（ＣＰＵ）４４により動作管理を示すブロック図である。
画像データー入力部４０、画像処理部４１、画像メモリ４３、画像データー出力部４２、および中央処理装置（ＣＰＵ）４４の詳細については、図３にて説明した通りであって、重複する点については説明を省略する。
【００５８】
中央処理装置４４は、その他、ＲＡＤＦ、スキャナ部、レーザープリンタ部などデジタル複写機１を構成する各駆動機構部５０〜５３をシーケンス制御により管理すると共に、各部へ制御信号を出力している。さらに中央処理装置４４には、操作パネルからなる操作基板ユニット４９が相互通信可能な状態で接続されており、操作パネルの操作に応じて操作者が設定入力した複写モード内容を示す制御信号を中央処理装置４４に転送して、カラーデジタル複写機１全体が設定されたモードに応じて動作するように制御している。また、中央処理装置４４からはカラーデジタル複写機１の各種動作状態を示す制御信号を操作基板ユニット４９へと転送して、操作基板ユニット４９側では、この制御信号により装置が現在どのような状態にあるのか操作者に示すように表示部などにより動作状態を表示するようになっている。
【００５９】
図５は、カラーデジタル複写機における操作パネルを示す構成図である。
この操作パネル６０の中央部分には、タッチパネル液晶表示装置６１が配置されていて、その周囲に各種モード設定キー群が配置されている。このタッチパネル液晶表示装置６１の画面上には、常時画像編集機能を選択するための画面に切り換える画面切り換え指示エリアがあって、このエリアを指で直接押圧操作すると、各種画像編集機能が選択できるように、液晶画面上に各種編集機能が一覧表示される。その表示された各種編集機能の中から、操作者が所望する機能が表示されている領域を指で触れることにより編集機能が設定される。
【００６０】
次に、上記操作パネル６０上に配置された各種設定キー群について簡単に説明する。
６２は液晶表示装置６１の画面の明るさを調整するダイヤル、６３は倍率を自動的に選択させるモードの設定する倍率自動設定キー、６４は複写倍率を１％きざみで設定するためのズームキー、６５と６６は、固定倍率を読み出して選択するための固定倍率キー、６７は複写倍率を標準倍率（等倍）に戻すための等倍キーである。
【００６１】
６８は、コピー濃度調整を自動から手動または、写真モードへと切り換えるための濃度切り換えキー、６９は手動モードまたは、写真モードの時に濃度レベルを細かく設定するための濃度調整キー、７０はカラーデジタルの給紙部にセットされている用紙サイズの中から希望する用紙サイズを選択するためのトレイ選択キーである。
【００６２】
７１は複写枚数の設定するための枚数設定キー、７２は複写枚数をクリアしたり、連続コピーを途中で止める時に操作するクリアキー、７３はコピーの開始を指示するためのスタートキー、７４は現在設定されているモードの全てを解除して標準状態に復帰させるため全解除キー、７５は連続コピー中に別の原稿に対するコピーを行いたい時に操作する割り込みキー、７６はカラーデジタルの操作が分からない時に操作することでカラーデジタルの操作方法をメッセージ表示するための操作ガイドキー、７７は操作ガイドキー７６の操作により表示されたメッセージの続きを表示させるためのメッセージ順送りキーである。７８は両面複写モードの設定するための両面モード設定キー、７９はカラーデジタルから排出される複写物を仕分けるための後処理装置の動作モードを設定するための後処理モード設定キーである。
【００６３】
８０〜８２は、プリンタモード、ファクシミリモードに関する設定キーであり、８０は送信原稿を一旦メモリに蓄えてから送信するメモリ送信モードキー、８１はデジタルカラーデジタルのモードをコピーとファックス、プリンタの間で切り換えるためのコピー／ファックス・プリンタモード切り換えキー、８２は送信先電話番号を予め記憶させておき送信時にワンタッチ操作で送信先に電話を発信させるためのワンタッチダイヤルキーである。
【００６４】
今回提示した操作パネル及びその操作パネル上に配置される各種キーは、あくまでも１実施例であり、カラーデジタル複写機に搭載される各種機能により操作パネル上に設けられるキーは異なってくることはいうまでもない。
【００６５】
＜第１実施形態＞
本発明に係る第１実施形態であるカラーデジタル複写機は、記憶されている広告画像情報と、複写するためにカラーデジタル複写機の所定位置にセットされた原稿の原稿画像情報を同じ用紙の上に合成して記録するモードを有する。図６（ａ），（ｂ）及び図７（ａ）〜（ｃ）は、上記操作パネル６０の略中央部分に配置されたタッチパネル付き液晶表示装置６１に順次表示されるコピーサービス店向け操作画面の一例を示したものである。
【００６６】
図６（ａ）は動作可能な状態で待機している時の初期画面であり、コピー料金がカラーデジタル複写機１に隣接して配置されたコインベンダー（図示せず）に投入されると、通常のコピーモードとなってカラーコピーが可能な状態となって待機する。なお、通常のコピー料金体系は、ここでは液晶画面内に表示しているが、料金体系表を見易いところに貼っておいてもよい。
【００６７】
液晶表示画面には、「広告入りのコピー」選択エリア９１を設けている。この広告入りコピーモードを選択することにより、コピー料金が通常よりも安くなることを表示し、安くなった広告入りコピー料金体系を同様に液晶画面に表示している。なお、通常料金体系表と同様に広告入りコピー料金体系についても、料金表を対比して貼っておいてもよい。また、特殊なサービスとして特別な情報を提供する場合、情報の内容によっては料金が逆に高くなることもあるが、その時は高くなる理由をメッセージとして表示する。
【００６８】
図６（ｂ）は、「広告入りコピー」選択エリア９１を指で直接押圧操作した場合の表示画面であり、「広告入りコピー」選択エリア９１の表示状態は、モードが選択されていることが操作者に分かりやすくするように白黒反転している。この画面では、原稿画像が通常よりも多少縮小されてしまうことのメッセージを出して、利用者に注意を促し、最終的な確認を得るようにしている。この画面でも安くなった広告入りコピー料金体系を液晶画面６１に表示しておく。そして、もしも利用者が原稿画像が縮小されることを望まない場合、「戻る」選択エリア６２を指で押圧すれば、広告入りコピーモードが解除され初期画面に戻ることができる。
【００６９】
原稿が縮小されても広告入りのほうが付加価値が高いと考える利用者は、広告入りコピー料金系に基づいた料金を隣接されたコインベンダー（図示せず）に投入すると次の画面図７（ａ）が液晶表示画面上に現れる。図７（ａ）は原稿のセットの仕方を示したものであり、原稿をセットしてカバーを閉じると自動的に原稿サイズを検知して次の画面に進む。なお、ＲＡＤＦ（両面自動原稿送り装置）３により原稿をセットすることも可能である。
【００７０】
図７（ｂ）は、原稿が縦原稿なのか横原稿なのかを設定するために設けられた「縦原稿アイコン」選択エリア９３と、「横原稿アイコン」選択エリア９４のどちらかを、利用者に指で押圧指示してもらう選択画面であり、原稿画像に対する広告画像を入れる場所を確定することができる。「縦原稿アイコン」選択エリア９３を押すと、縦原稿が選択されたことを操作者に伝えるためにエリア表示は白黒反転すると共に、広告の入る位置をアイコンで表示して利用者の確認を得る。ここでもし利用者の気が変わったとしても、「戻る」選択エリア９２を指で押せば初期画面に戻ることができる。
但し、今回のように利用者に縦原稿、横原稿の区別をしてもらわなくても、最近の画像文字認識技術を用いることによりセットされる原稿が縦原稿なのか、横原稿なのかの区別を自動的に行うことも可能である。
【００７１】
図７（ｃ）は、通常のコピーと同様に、倍率、用紙、濃度の変更が可能な状態であって、後は操作者がスタートキーを押すことにより、広告入りのコピー動作が開始されることを表示した画面である。
【００７２】
以上の構成からなるカラーデジタル複写機において、広告画像が原稿画像と共に用紙上に記録される機能は、カラーデジタル複写機の機能の一部として搭載されているものである。すなわち、図２に示したようなカラーデジタル複写機、およびその周辺の機器をネットワーク接続したカラー画像システムにおいて、画像編集記録装置であるカラーデジタル複写機が、原稿画像と特定の画像を合成編集してプリントアウトすることをポイントとしている。
【００７３】
以下、図を用いて本発明の画像編集記録装置の第１実施形態についてさらに説明する。
図８は、本発明に係る画像編集記録装置であるカラーデジタル複写機の第１実施形態を示すブロック図である。本実施形態であるカラーデジタル複写機は、画像入力手段１０１、特定画像情報メモリ１０２、画像編集部４５、第１の処理部１０３、第２の処理部１０４、画像情報合成部１０５、黒画像記録部１０６、カラー画像記録部１０７からなる構成である。ここで、特定画像とは原稿画像とは異なる広告画像である。画像情報メモリ１０２とは、図３における画像メモリ４３のハードディスク４３ａ〜４３ｄ内の特定画像情報記憶領域を示す。第１の処理部１０６及び第２の処理部１０７は、図３における画像処理部４１で行われる処理部分である。画像情報合成部１０５は、図３における合成用メモリ４３ｆである。黒画像記録部１０６及びカラー画像記録部１０７は、図３における画像情報出力部４２にある。
【００７４】
上記画像編集部４５は、原稿画像情報１１１から特徴を抽出する原稿特徴抽出機能、広告画像情報から特徴を抽出する広告特徴抽出機能、原稿画像情報１１１の特徴情報に基づいて原稿画像情報に対する画像処理である第１の処理内容を確定する第１処理確定機能、広告画像情報１１２の特徴情報に基づいて広告画像情報１１２に対する画像処理である第２の処理内容を確定する第２処理確定機能、これら処理した画像情報の合成処理内容を確定する抽出する合成処理確定機能を有する。
ここで、特徴情報は、例えば、色情報、サイズ情報、文字配列（縦書き、横書き）、画像配置方向等である。
【００７５】
ここで、第１の処理とは、原稿画像情報の特徴を損なうことなく特徴情報に応じた画像処理であって、基本的に原稿の画像の色、形、大きさなどを大きく変化させることなく、原稿画像そのものが最初から有している特徴を忠実に再現することのできる処理である。例えば、原稿画像の大きさを全体的に所定の範囲内において縮小変倍するまでのことである。ここで縮小倍率があまりにも大きすぎると原稿画像情報の再現が問題となるので、原稿画像の特徴を損なわない処理のできる範囲内に納めている。
【００７６】
また、第２の処理とは、広告画像情報を所定の状態に特徴付ける画像処理であって、広告画像情報１１２と原稿画像情報１１１とが１つの画像に編集された場合に、それぞれの画像が明確になるように広告画像情報１１２に対して施されているものである。すなわち、広告画像情報１１２をカラー画像として再現するように処理を施したり、あるいは、広告画像情報に対して原稿画像情報側に境界線画像を付与する処理を施したり、さらには、広告画像情報の背景部分を特定パターン画像で塗りつぶしたりしている。これにより原稿画像情報が表現される形態とは異なる形で広告画像情報が表現されることとなる。
【００７７】
次に、このカラーデジタル複写機の動作について説明する。
画像情報入力手段１０１は、図２にも示したように、カラーデジタル複写機１自身の原稿画像読み取り部（スキャナ）４、ネットワーク接続されたパーソナルコンピュータ３２、デジタルカメラ３３、デジタルビデオカメラ３４、通信携帯端末３５などが含まれる。これらの画像入力手段１０１により広告画像情報１１０が複数入力され、特定画像情報メモリ１０２、すなわち画像メモリ４３のハードディスク４３ａ〜４３ｄに記憶される。
【００７８】
さて、特定画像情報所定の原稿画像の読み取り開始指示（スタートキー７３押圧）が行われると、カラーデジタル複写機の所定の位置にセットされた原稿の画像が読み取られると同時に、特定画像情報メモリ１０２に記憶されている複数の特定画像情報（広告画像情報）１１０の中から特定画像情報（広告画像情報）１１２が一つ選択される。特定画像情報１１２は、例えば、特定画像情報１１０に対して出力順が予め決められていたり、複写機の管理者が選択指示したりするものとする。
【００７９】
画像編集部４５においては、次の処理が行われる。原稿画像情報１１１と選択された広告画像情報１１２が入力され、それぞれ特徴情報が抽出される。これら特徴情報に基づいて、第１の処理及び第２に処理を確定する。また、これら処理内容は合成処理確定手段１１７に送られ、原稿画像情報と広告画像情報を一つの画像として合成する処理が確定される。すなわち、原稿画像と広告画像の合成する際の配置を決める。
【００８０】
画像編集部４５から第１の処理内容及び第２の処理内容が画像処理部４１に入力され、この処理内容に通りに画像処理部４１である第１の処理部１０３及び第２の処理部１０４で処理が行われる。また、合成処理内容に基づいて、画像情報合成部１０５である合成用メモリ４３ｆに各画像を配置合成する。この合成処理内容に基づいて画像情報出力部４２の黒画像記録部１０６及びカラー画像記録部１０７により、用紙に画像が記録される。
【００８１】
このように、あらかじめ複写機に登録されている広告画像情報と、複写するために複写機にセットされた原稿の原稿画像情報を同じ用紙の上に合わせて記録するモードを、例えばカラーデジタル複写機に搭載することにより、このデジタルカラー複写機を設置する側にとってみれば、不特定多数の人に伝えたい情報を広告画像としてコピー画像と共に記録することが可能となる。
一方、このデジタルカラー複写機を利用する利用者側からみれば、自分自身が必要とする原稿の画像情報を損なうこともなく広告画像が付加されたコピーが出力されるだけであって、特に問題にもならない。逆に、原稿画像情報とは異なるいろんな情報が得られ、かつコピー料金が下がるので有効なものとなる。
【００８２】
原稿画像情報は、基本的に原稿画像情報が有している特徴を維持するように処理され、また広告画像情報は、用紙の上で常に所定の状態となるように処理される。そして、これらの画像情報が同一の画像情報として出力されても原稿の画像と広告画像との違いが分かりやすくなる。すなわち広告画像と原稿画像がお互いに直接影響を与えることもなく、一つの画像となった中でそれぞれの画像情報が意図する情報内容を表現・伝達することが可能である。
【００８３】
また、１つの画像として編集された画像情報を出力する場合、このカラーデジタル複写機は、白黒画像記録部１０６及びカラー画像記録部１０７からなる、カラー画像を再現することが可能な画像情報出力部４２を備えている。このため、この画像情報出力部４２から編集された画像情報を出力すれば、原稿画像と特定画像がお互いの画像情報に対して影響を与えず、また違いが明確になるようにそれぞれの画像情報を一つの画像としてさまざまな形で表現することができる。つまり、このカラーデジタル複写機は、原稿画像情報と広告画像情報を、それぞれの画像情報の特徴を生かした状態で、１つの画像情報としてカラー記録部から再現するものである。これにより、それぞれの画像情報が有する画像の特徴を損なうことなく１つの画像として用紙上に再現され、よって、広告画像と原稿画像がお互いに直接影響を与えることもなく、それぞれの画像が意図する情報伝達が可能となる。
【００８４】
以下、それぞれの画像情報が１つの画像として表現された（合成して出力された）場合に、お互いの画像情報に影響を与えないよう考慮した原稿画像情報に対する処理、および特定画像情報に対する処理について、さらにそれぞれの画像情報を表現力豊かに再現するための手法について順次例をあげて説明する。
【００８５】
まず、特定画像情報が広告画像である場合、より広告効果を上げるため、また不特定多数の人に対し広告画像に興味を持ってもらうために、広告画像をカラーで表現し出力する。こうして、原稿画像に対する広告画像の違いを明確にすることが可能となる。
【００８６】
上記カラー広告画像情報はすでに図２で説明したように、カラーデジタル複写機１の画像読取部４からカラー原稿情報入力することも可能であり、またネットワーク接続されたパーソナルコンピュータ３２、デジタルカメラ３３、デジタルビデオカメラ３４、通信携帯端末３５などの外部機器から編集されたカラー画像情報入力も可能である。またインターネットやイントラネットあるいは高成長する通信インフラを通じ、遠隔地より作成されたカラー広告画像情報入力も可能である。これらの入力手段により得られたカラー広告画像情報は画像メモリ４３の各ハードディスク４３ａ〜４３ｄに記憶格納される。複数の広告画像の中から選択された広告画像と原稿画像情報のそれぞれがお互いの画像情報に影響を与えないような処理をそれぞれ行い、合成され１つの画像として出力される。
【００８７】
このように、広告画像情報を登録するために特別な入力装置を必要とせず、簡単に所望する画像情報を登録することが可能である。さらにカラーデジタル複写機であれば、もともと原稿画像読み取り部にカラースキャナが搭載されており、広告画像情報をカラー画像を含むカラー画像情報として簡単に取り込むことが可能である。
【００８８】
図９に示すように利用者が白黒原稿をコピーする場合を想定する。
１２１はＡ４の白黒原稿、１２２はカラー広告情報、１２３はＢ５の白黒原稿、１２４はＡ４の原稿と広告の合成コピー、１２５はＢ５の原稿と広告の合成コピーである。第１の処理では、白黒原稿１２１，１２３の縮小率は全体的に所定の範囲内に押え、ここで縮小倍率があまりにも大きすぎると原稿画像情報の再現が問題となるので、原稿画像の特徴を損なわない処理のできる範囲内に納めている。第２の処理では、残りの領域に合わせてカラー広告情報１２２の縮小率を決定している。また、通常カラー原稿の中の黒文字は、図２に示したように、入力処理部４１ｂにてＹＭＣ信号に変換され領域分離部４１ｃを経て下色除去処理を行い、黒生成する黒生成部４１ｄにて黒が生成される。しかし広告画像１２２はカラーであっても、あらかじめ原稿画像が白黒画像であるとわかっていれば、その領域は白黒画像として処理し、モノクロデータ生成部４１ａにて黒データを生成する。このため、認識誤りによってカラーで印字することもなく白黒原稿画像の特徴を著しく変化させることがない。従って、原稿画像１２１，１２３が白黒画像であっても広告画像１２２はカラー画像として再現するようになっているので、原稿画像１２１，１２３と広告画像１２２との違いが明確になると共に、広告画像１２２を強調させることも可能となる。
【００８９】
また、画像編集部４５は、広告画像１２２と原稿画像１２１，１２３の違い（境界・区切り）が明確になるように境界画像を合成することにより、コピーをした人にとって最も大事な原稿画像情報を広告画像が見にくくするといったことのないように合成処理を行っている。すなわち、画像編集部４５は、画像情報の合成処理に加えて境界画像も同時に合成する処理を確定する。例えば、境界画像は、画像メモリ４３等に記憶されており、画像編集部４５は、境界画像を読み出して、この境界画像の合成位置を指定する。こうして広告画像と原稿画像がお互いに直接影響を与えることなく、一つの画像となった中でそれぞれの画像情報が意図する情報内容を表現・伝達することが可能となる。
【００９０】
以下に、広告画像と原稿画像との間にそれぞれの画像の境界が分かるような画像を記録する具体的方法を説明する。
図１０は、境界画像として、境界線（実線・波線・一点鎖線など）１２８を合成するものである。図１１は、境界画像として、広告画像の背景カラー１２９を一定濃度ベタパターンとしたものである。また広告画像１２７と原稿画像１２６との間にそれぞれの画像の境界が分かるような画像を記録する具体的方法の一つであり、境界画像として、広告画像１２７がより目立つように薄い背景カラーパターンを用いることもできる。図１２は境界画像として、広告画像１２７がより目立つように特定色の網掛けパターン１３０を用いたものである。
【００９１】
さて、広告画像と原稿画像との間にそれぞれの画像の境界が分かるようにするためには、広告画像の色特徴を自動的に抽出して広告画像とは異なる背景カラーパターンを用いるのがよい。広告画像の色特徴抽出をせず、同じ系統の背景カラーパターンを用いた場合には、非常に見にくい広告画像になってしまい、広告の効果が減少してしまう。
【００９２】
＜第２実施形態＞
図１３は、画像編集記録装置の第２実施形態を示すブロック図である。それぞれ図８と同一の部分には同一符号を付す。
【００９３】
画像編集部４５には、原稿画像の読み取り開始指示（スタートキー６０押圧）により、読み取られた原稿画像情報１１１が入力される。画像編集部４５は、原稿画像情報１１１から特徴情報を抽出し、その特徴情報に基づいて第１の処理における複数種の処理内容から、特定画像情報メモリ１０２に記憶されている特定画像情報１１０に対して、合成処理に最適な広告画像情報１１２を選択し読み出す。すなわち、原稿画像と広告画像が同一の画像情報として出力されても、原稿の画像との区別がつきやすい広告画像情報１１２を選択する。
【００９４】
さらに画像編集部４５は、読み出された広告画像情報１１２から特徴情報を抽出し、広告画像情報１１２の特徴情報に基づく第２の処理が行う複数種の処理内容を把握し、原稿画像情報の特徴情報に基づいて、最適な第１の処理を確定する一方、広告画像情報１１２の特徴情報に基づいて第２の処理内容を確定する。こうして、後は図８と同様に、処理した画像情報を合成し、出力する。結果としてお互いの画像情報が有している特徴を損なうことなく、用紙の上に原稿画像情報１１１と広告画像情報１１２を１つの画像として再現することが可能となる。
【００９５】
このことにより、原稿画像と広告画像が同一の画像情報として出力されても、原稿の画像と広告画像との区別がつきやすくなる。すなわち広告画像と原稿画像がお互いに直接影響を与えることもなく、一つの画像となった中でそれぞれの画像情報が意図する情報内容を表現・伝達することが可能である。
【００９６】
次に原稿画像と広告画像のどちらかの画像情報の特徴を優先させる画像編集について述べる。
例えば、読み取られた原稿の画像情報に対して行うべき画像処理内容を優先させて、画像編集部４５は、第１の処理を確定する。そして、第１の処理内容に基づいて特定画像情報メモリ１０２に記憶されている複数の特定画像情報（広告画像）の中から最適な広告画像情報を選択する。選択された広告画像情報１１２の特徴情報と第１の処理内容から、一つの画像となっても広告画像と原稿画像がお互いに直接影響を与えることもなく、それぞれの画像情報が意図する情報内容をそれぞれが表現・伝達することが可能とする第２の処理を確定する。
【００９７】
また、それとは逆の方式もある。すなわち画像編集部４５は、特定画像情報メモリ１０２に記憶理されている複数の特定画像情報（広告画像）１１０の中から広告画像情報１１２を選択し、その広告画像情報１１２に対して行うべき画像処理内容を優先させて、第２の処理を確定する。読み取られた原稿画像情報１１１に対しては、原稿画像情報１１１の特徴情報と第２の処理内容とから、一つの画像となっても、広告画像と原稿画像がお互いに直接影響を与えることもなく、それぞれの画像情報が意図する情報内容をそれぞれが表現・伝達することが可能とする第１の処理を確定する。
【００９８】
こうして、原稿画像情報と広告画像情報をそれぞれ個別に処理する第１実施形態とは異なり、原稿画像情報に対して行われる画像処理と広告画像情報に対して行われる画像処理のうち、いずれか一方の処理内容に応じて他方の処理内容を確定しており、結果としてお互いの画像情報が有している特徴を損なうことなく、それぞれの画像情報が意図する情報内容を用紙上で表現・伝達することが可能である。
【００９９】
また、１つの画像として編集された画像情報を出力する場合、カラー画像記録部および白黒画像記録部からなる、カラー画像を再現することが可能な画像情報出力部４２を画像編集記録装置（カラーデジタル複写機）が備えている。従って、この画像情報出力部４２に、編集されて１つにまとめられた画像情報を出力すれば、原稿画像と特定画像がお互いの画像情報に対して影響を与えず、また違いが明確になるようにそれぞれの画像情報を一つの画像としてさまざまな形で表現することができる。
【０１００】
以下、それぞれの画像情報が１つの画像として表現された（合成して出力された）場合に、お互いの画像情報に影響を与えないよう考慮した原稿画像情報に対する処理、および特定画像情報に対する処理について、さらにそれぞれの画像情報を表現力豊かに再現するための手法について順次例をあげて説明する。
【０１０１】
例えば、原稿画像情報１１１と広告画像情報１１２のいずれもがカラー画像情報であった場合、画像編集部４５は自動または操作パネル６０のタッチパネル付き液晶表示装置６１からの指示で、原稿画像情報１１１と広告画像情報１１２がお互いに直接影響を与えることもなく、それぞれの画像情報が意図する情報内容をそれぞれが表現・伝達することが可能とするように、いずれかの画像情報を白黒画像に置き換える第１の処理または第２の処理を確定する。
【０１０２】
図１４では広告画像情報を優先した場合を示す。すなわち、カラー原稿１３１とカラー広告１３２を合成する場合、広告画像１３２の方をカラーとして、合成処理を行う。したがって、カラーデジタル複写機１で合成されたコピー１３３は、白黒の原稿部分１３１ａと、カラーの広告部分１３２ａから構成されることになる。
【０１０３】
また、原稿画像情報１１１と広告画像情報１１２のいずれもが白黒画像情報であった場合、画像編集部４５は自動または操作パネル６０のタッチパネル付き液晶表示装置６１からの指示で、いずれかの画像情報をカラー画像に置き換える第１の処理または第２の処理を確定する。図１５に示すように、白黒原稿１３４と白黒広告１３５を合成する場合、原稿の方をカラーとして、合成処理を行う。したがって、カラーデジタル複写機１で合成されたコピー１３６は、カラー原稿部分１３４ａと白黒広告部分１３５ａから構成されることになる。
【０１０４】
こうして原稿画像と広告画像がお互いに画像情報に対して影響を与えず、それぞれの色情報を区別することにより違いを明確にし、それぞれの画像が情報を最大限に表現することが可能となる。
【０１０５】
図１６は、第２実施形態の他の例を示すブロック図である。画像情報入力手段１０１であるカラーデジタル複写機１自身の原稿画像情報読み取り部４が、原稿から原稿画像情報１１１を読み取る。画像編集部４５は、原稿色情報１１１ａを特徴情報として抽出する。この原稿色情報１１１ａに基づいて、第１の処理を確定すると同時に、第１の処理に基づいて、記憶されている複数の特定画像情報（広告画像）１１０の中から最適な広告画像情報１１２を選択し、特定画像情報メモリ１０２から広告画像情報１１２を読み出す。また、広告画像情報１１２の色情報１１２ａを抽出し、それに基づいて第２の処理を確定する。こうして画像編集部４５は、確定した各処理を第１及び第２の処理部１０３，１０４、画像情報合成部１０５に出力し、両画像情報を画像処理のうえ合成し、画像情報出力部４２から出力する。
【０１０６】
例えば、図１７に示すように、原稿画像１３７がカラーの場合、カラー広告画像１３８をあえて白黒広告画像情報に第２の処理を施し、１つに合成する。合成されたコピー１３９は、カラー原稿部分１３７ａと白黒広告部分１３８ａから構成される。こうして、お互いに相手の画像情報に対して影響を与えることなく原稿画像と広告画像との違いが明確になると共に、利用者が最も必要としている原稿画像情報の特徴を基本的に維持したまま、それぞれの画像が情報を最大限に表現することが可能となる。
【０１０７】
さて、前述の例は色情報を基に、原稿画像情報を優先して第１の処理を確定してから広告画像色情報の第２処理を確定したが、他の例としては、図１８に示すブロック図のように、原稿画像情報のサイズ情報１１１ｂを抽出し、第１の処理の確定を優先して、処理を行う。画像編集部４５は、特定画像情報メモリ１０２に、あらかじめ登録されたＢ５原稿に適する広告情報１１０ａ、Ｂ４原稿に適する広告情報１１０ｂ、Ａ４原稿に適する広告情報１１０ｃ、あるいはＡ３原稿に適する広告情報１１０ｄから選択する。画像編集部４５は、抽出した広告画像情報１１２の色情報１１２ｂに基づいて第２の処理を確定する。こうして画像編集部４５は、確定した各処理を第１及び第２の処理部１０３，１０４、画像情報合成部１０５に出力し、両画像情報を画像処理のうえ合成し、画像情報出力部４２から出力する。
こうして原稿画像サイズ毎に広告画像情報を記憶させておき、入力された原稿画像情報のサイズに応じた広告画像情報を１つの画像情報として再現するので、原稿の画像と広告画像のお互いの大きさ・バランスが所定の関係に保たれることとなる。
【０１０８】
図１９に第２実施形態の他の例を示す。画像編集部内の処理は前述の通りなので、詳しい説明は省略する。画像編集部４５は、原稿画像情報１１１のサイズ情報１１１ｂを優先して、第１の処理内容を確定する。画像編集部４５は、特定画像情報メモリ１０２にあらかじめ登録された、Ａ４原稿に適する複数の広告情報５０１〜５１０群、あるいはＢ５原稿に適する複数の広告情報５１１〜５２０群、あるいはＢ４原稿に適する複数の広告情報５２１〜５３０群、あるいはＡ３原稿に適する複数の広告情報５３１〜５４０群から広告画像情報１１２を選択する。画像編集部４５は、広告画像情報１１２のサイズ情報１１２ｂに基づいて、第２の処理を確定する。これら処理原稿画像サイズ毎に広告画像情報を複数種類記憶させておき、入力された原稿画像情報のサイズに応じた複数の広告画像情報の中から１つを選択し、１つの合成した画像情報として再現するので、原稿の画像と広告画像のお互いの大きさ・バランスが所定の関係に保たれることとなる。
【０１０９】
また他の例について説明する。この例は、カラーデジタル複写機１自身の原稿画像読み取り部より読み取られた原稿画像情報に対してトリミング、マスキング、縦横変倍、変倍などの第１の処理確定後、原稿サイズ情報でなく、画像サイズ情報に応じて広告画像の第２の処理を確定し、１枚の合成コピーが作成されるものである。図２０は、例えばＢ５原稿画像（１８２×２５７ｍｍ）１４０を１．２倍に拡大処理した場合、編集後の画像サイズは約２１８×３０８ｍｍとなり、Ｂ５サイズより大きくなる（倍率により異なるが１．２倍の場合はＢ４（２５７×３６４ｍｍ）に収まる）。画像編集部４５は、特定画像情報メモリ１０２にあらかじめ登録されたＢ４原稿にあう複数の広告情報５２１〜５３０群から広告画像１４１を自動選択し、第２の処理を施し１枚の合成コピー１４２が作成される。
【０１１０】
こうして、最終原稿画像サイズ毎に広告画像情報を記憶させておき、原稿画像情報に対して所望する画像編集を施した結果画像情報のサイズに適した広告画像情報選択して１つの画像情報として再現するので、所望する形となった原稿の画像と広告画像のお互いの大きさ・バランスが所定の関係に保たれることとなる。よって、出力されたコピー画像を取ってみても違和感が無く、それぞれの画像情報が意図する情報内容を用紙上で表現・伝達することが可能である。
【０１１１】
次に、広告入りコピーを取る場合、どのサイズの原稿であっても（Ａ４，Ａ３，Ｂ５，Ｂ４等）画像編集部４５は、カラーデジタル複写機１自身の原稿画像読み取り部４からの原稿画像情報１１１に対し、一定縮小倍率の第１の処理確定を行い、第１の処理部１０３が処理を行う。例えば，図２１のようにＢ５やＡ４の原稿１４３，１４６の縮小率を９０％とする。画像編集処理部４５は、残りとして確保された領域の面積に応じて広告画像情報１１２の縮小倍率を決定し、第２の処理を確定する。第２の処理部１０４が第２の処理を行い、合成用メモリ４３ｆにおいて合成され、１枚の合成コピー１４５，１４７が画像情報出力部４２において記録作成される。このように、原稿画像に対して所定の縮小処理が施された後にその画像が用紙に記録される場合、用紙に確保できる空白部分に基づいて広告画像の大きさを確定するので、用紙上における空白部分を有効に活用して広告情報を提供することができる。
【０１１２】
また、画像編集部４５は、カラーデジタル複写機１自身の原稿画像読み取り部４より読み取られた原稿画像情報のサイズ毎に、所定の縦縮小倍率を設定することが考えられる。例えば、図２２に示すように、Ａ４は８７％、Ｂ５は８８％、Ａ３は８５％、Ｂ４は８６％というように第１の処理を行い、残りとして確保された領域の面積に応じて第２の処理を確定する。こうして、用紙上における空白部分を有効に活用して広告情報を提供するとともに、合成後の原稿画像と広告画像の用紙上における割合もバランスよく、よって見栄えのいい合成コピーとして提供する。
【０１１３】
また、図２３に示すように、特定画像情報メモリ１０２にあらかじめ登録された広告画像の情報１４９が縮小されては判読できない、あるいは実物大であることに意味がある場合がある。この場合、原稿画像１４８に対して行う第１の処理に優先して第２の処理を確定し、残りとして確保された領域の面積に応じてカラーデジタル複写機１自身の原稿画像読み取り部４より読み取られた原稿画像情報１４８に対して第１の処理を確定し、広告画像１４９強調の合成コピー１５０を出力する。
【０１１４】
次に、さらに他の例を説明する。図２４は、第２実施形態の他の例を示す機能ブロック図である。図２４のブロック図に示すように、カラーデジタル複写機１自身の原稿画像読み取り部４より読み取られた原稿画像情報１１１のサイズとは無関係に、利用者が最終合成出力用紙サイズを操作パネル６０から指定するものがある。
指定された出力用紙サイズ情報に基づいて、画像編集部４５は、出力用紙サイズ毎に、（Ａ４，Ａ３，Ｂ５，Ｂ４等）特定画像情報メモリ１０２にあらかじめ登録されたＡ４用紙用広告情報５５１、あるいはＢ５用紙用広告情報５６１、あるいはＢ４原稿用紙用広告情報５７１、あるいはＡ３原稿用紙用広告情報５８１の中から１つ選択する。そして、選択した広告画像情報１１２のサイズ情報１１２ｂに対して第２の処理を確定する。さらに、出力用紙サイズと第２の処理における広告画像サイズから、残りとして確保された領域の面積に応じて原稿画像情報１１１に対して拡大あるいは縮小の第１の処理を確定する。そして、画像を合成して合成コピーを出力する。
【０１１５】
用紙の大きさに対する広告画像のしめる割合、また原稿画像情報を記録するために確保された領域の割合などをあらかじめ設定可能となり、バランスよくお互いの画像情報を表現することが可能となる。画像が記録される用紙と共に広告画像情報を記憶させておき、選択された用紙に応じた広告画像情報と原稿画像情報を１つの画像情報として再現するので、用紙の大きさに対して広告画像のしめる割合をあらかじめ考えて設定しておくことが可能となると共に、原稿の画像と広告画像のお互いの大きさ・バランスが所定の関係に保たれることとなる。
【０１１６】
また、他の例を説明する。図２５に示すように、例えば、利用者が出力用紙サイズＡ４を操作パネル６０上から指定する。カラーデジタル複写機１自身の原稿画像読み取り部４より読み取られた原稿画像サイズを、図２５に示すように、例えばＢ５の原稿１５１とする。画像編集部４５は、原稿サイズＢ５と、出力用紙サイズＡ４から、原稿画像情報をＡ４に収まる範囲内で拡大する第１の処理を行う。そして、出力用紙サイズと第１の処理内容から、残りとして確保された領域の面積に収容できる最適な広告画像１５３を選択し、選択された広告画像情報に対する第２の処理を確定し、処理された画像情報を合成して合成コピー１５２を出力する。
【０１１７】
また、他の例として、例えば、利用者が出力用紙サイズＢ４を操作パネル上から指定し、かつ出力用紙サイズの比率２０％を広告画像エリアとして操作パネル上から入力する。カラーデジタル複写機１自身の原稿画像読み取り部４より読み取られた原稿画像サイズ、例えばＢ５に対して、画像編集部４５は、出力用紙の８０％になるように原稿画像を拡大する第１の処理を確定する。次に、画像編集部４５が、所定の条件で特定画像情報メモリ１０２にあらかじめ登録された広告画像情報１１２を選択し読み出し、広告画像情報１１２のサイズ情報を抽出する。さらに、広告画像情報１１２に対して出力用紙の２０％になるような第２の処理を確定する。これら画像情報を合成し、合成コピーを指定されたＡ４サイズの用紙に出力する。
用紙サイズに応じて広告画像情報を登録することのできる領域（広告画像サイズ）が設定されているので、用紙の大きさに対する広告画像のしめる割合、また原稿画像情報を記録するための確保された領域の割合などからみてバランスよくお互いの画像情報を表現することが可能となる。
【０１１８】
また、画像編集部４５は、カラーデジタル複写機１自身の原稿画像読み取り部４より読み取られた原稿画像サイズと特定画像情報メモリ１０２にあらかじめ登録された複数の広告画像サイズより選択し、それぞれを縮小合成せずに、これらの画像をそのまま合成出力できる用紙サイズを確定することができる。図２６に示すように、Ａ４原稿情報１５４と２１０ｍｍ×６０ｍｍの広告原稿情報１５５があった場合、画像編集部４５はそれぞれ等倍にて処理し、Ｂ４サイズの出力用紙に合成コピー１５６を出力する。
原稿画像の大きさと広告画像の大きさからこれらの画像を記録する用紙サイズを確定するので、原稿画像の特徴（大きさ・長さ）を優先する場合でも、所望する広告画像の情報も確実に得られるので有効である。
【０１１９】
＜第３実施形態＞
第３実施形態は、広告画像情報の有効期限情報によって、広告画像を記憶管理するものである。このカラーデジタル複写機は、操作者が、操作パネル６０より、好みの広告ジャンルを選択し、後は複写機がそのジャンル内から自動的に広告画像を選択するものとする。図２７は、上記操作パネル６０の略中央部分に配置されたタッチパネル付き液晶表示装置６１に順次表示されるコピーサービス店向け操作画面の一例を示したものである。図２７（ａ）は動作可能な状態で待機している時の初期画面であり、もしカラーデジタル複写機１に隣接して配置されたコインベンダー（図示せず）に適切なコピー料金が投入されると、通常のコピーモードとなって、カラーコピーあるいは白黒コピーが取れる状態となる。
なお、通常のコピー料金体系１６４は、ここでは液晶画面内に表示しているが、料金体系表を見易いところに貼っておいてもよい。
【０１２０】
次に液晶表示画面６１には、「広告入りのコピー」選択エリア１６１〜１６３を設けている。広告入りコピーは複数のジャンルに分けてコピーを取る人の好みで選択可能としている。広告入りコピーモードを選択することにより、コピー料金が通常よりも安くなることをメッセージで表示している。
【０１２１】
図２７（ｂ）は、例えば「電気製品広告入りコピー」選択エリア１６１を指で直接押圧操作した場合の表示画面であり、「電気製品広告入りコピー」選択エリア１６１の表示状態は、モードが選択されていることが操作者に分かりやすくするように反転表示している。この画面では安くなった広告入りコピー料金体系１６５を液晶画面６１に表示する。なお、通常料金体系１６４と同様に広告入りコピー料金体系１６５についても、料金表を対比して液晶画面６１に表示するか、あるいは対比表を貼っておいてもよい。また、特殊なサービスとして特別な情報、付加価値の高い情報を提供する場合、料金が逆に高くなることもあるが、その時は高くなる理由をメッセージ表示する。
【０１２２】
又この画面では、原稿画像が通常よりも多少縮小されてしまうことのメッセージを出して、利用者に注意を促し、最終的な確認を得るようにしている。そして、もし利用者が原稿画像が縮小されることを望まない場合、「戻る」選択エリア１６６を指で押圧すれば、広告入りコピーモードが解除され初期画面（図２７（ａ））に戻ることができる。
原稿が縮小されても広告入りのほうが付加価値が高いと考える利用者は、広告入りコピー料金体系１６５に基づいた料金を隣接されたコインベンダー（図示せず）に投入すると次の画面図７（ａ）が液晶表示画面上に現れる。図７の説明は、前述の通りであるので、省略する。
【０１２３】
以下図を使って、本実施形態をさらに詳しく説明する。
図２８は、カラー複写機の第３実施形態を示す部分ブロック図である。図２８に示すように、複数の特定画像情報（広告画像）１１０は、ジャンル別に分類管理されている。特定画像情報メモリ１０２に記憶された広告画像情報１１０は、特定画像情報管理部４８により、広告分野情報、料金情報、集計情報、有効期限情報等の管理情報により記憶管理されている。
【０１２４】
以下、有効期限情報に基づく広告画像毎の記憶管理方法、およびこの有効期限情報の活用方法について例をあげて説明する。
まず、広告画像と有効期限情報を関連づけて管理するために、図２９にあるような管理テーブルを図３の特定画像情報管理部４８に設けている。この特定画像情報管理部４８の管理テーブルの中に、例えば、広告画像Ａから広告画像Ｆまでの広告画像毎に、広告の開始日と広告有効期限が記憶されている。特定画像情報管理部４８により管理されている複数の特定画像情報が、画像情報の有効期限情報と共に記憶、管理されているため、常に特定画像情報（広告画像）１１０の把握とそれに対する管理が可能である。例えば、１９９７年８月３１日を基準（本日）として考えると、広告画像Ｂと広告画像Ｆが、すでに広告の期限が切れていることがわかる。
【０１２５】
次に、この広告期限情報を活用する処理について説明する。
まず、図２７（ａ）にあるような基本操作画面上において、広告入りのコピーができることを表示して複写待機している時に、広告情報として提供できる「電気製品広告」「服飾関係広告」「賃貸住宅広告」の３つの選択エリア１６１〜１６３の中から利用者が「電気製品広告」１６１を選択すると、図２７（ｂ）の表示画面へと遷移して、「電気製品広告」が選択されたことを伝えるために「電気製品広告」部分１６１を白黒反転させると共に、硬貨投入口に硬貨を投入するようにメッセージを表示する。そして、所定時間だけ図２７（ｂ）の表示画面が表示されると、所定のタイミングで図３０の表示画面へと遷移して、この表示画面上で操作者は、タッチパネルより好みの広告のジャンルが選択できる。
【０１２６】
表示画面上では、図３０に示すように、「電気製品広告」に関する階層が一段進み、さらに細分化された選択エリア１６８が表示される。利用者は次にその中の「複写機」の選択エリアを選択したと仮定する。先ほどの図２９のＡからＦまでの広告画像はすべて「複写機」の広告画像であり、広告画像Ｂと広告画像Ｆがすでに期限が切れている。従って、特定画像管理部４８は、特定画像情報メモリ１０２内にすでに記憶されている広告画像Ａ〜Ｆの「複写機」広告画像のうち広告画像Ｂと広告画像Ｆを除く広告画像Ａ，Ｃ，Ｄ，Ｅの中のいずれかを自動的に選択して、利用者が希望する原稿画像との合成コピーを行い出力する。
特定画像情報管理部４８により期限情報に基づいて管理されている特定画像情報を選択すると共に、上記合成手段により原稿画像情報と特定画像情報を合成して出力するため、利用者は有効期限切れの古い情報の広告画像合成コピーを取ることもなく、常に新しい広告画像情報の合成コピーが得られる。
【０１２７】
同様に特定画像情報管理部４８は、特定画像情報メモリ１０２にすでに記憶されている広告画像Ａ〜Ｆの「複写機」広告画像のうち、広告画像Ｂと広告画像Ｆを除く広告画像Ａ，Ｃ，Ｄ，Ｅの中のいずれかを自動的に選択するが、その場合有効期限に近いものを優先して自動選択して、利用者が希望する原稿画像との合成コピーを出力するようにすることも可能である。合成する広告画像は有効期限が間近なものが優先的に選択され、集計管理と連動している為、その特定画像情報（広告画像）の出力数をできる限り増やすことができる。
【０１２８】
また、図３１（ａ）および（ｂ）にあるように、原稿画像１７０と共に合成される広告画像１７１には、合成処理される広告画像１７１が有する有効期限情報を広告画像１７１と共に記録することも可能である。図３１（ｂ）は、特定画像情報メモリ１０２に記憶されている複数の広告画像の中から広告画像１７６を自動的に決定し、例えばＢ５原稿１７５と決定した広告画像１７６との合成コピー１７７を行った結果であって、その広告画像の有する有効期限情報１７３が合わせて合成されている。これは特定画像情報管理部４８が、有効期限情報を出力し、画像編集部４５が、合成処理過程で追加する指示を出して、合成する。このように、合成する広告画像の中に広告有効期限をいれるので、利用者に対してその広告がいつまで有効なのか、又どれだけ新鮮な情報なのかを知らせることができる。
【０１２９】
また、最終的な広告選択を操作者が行うタイプもある。まず、図２７で説明したように、（ａ）から（ｂ）へと表示画面が遷移して、「電気製品広告」が選択されたことを伝えるために「電気製品広告」部分１６１を白黒反転させると共に、硬貨投入口に硬貨を投入するようにメッセージを表示する。そして、所定時間、図２７（ｂ）の表示画面が表示されると、所定のタイミングで図３０の表示画面へと遷移して、この表示画面上で操作者は、タッチパネルより好みの広告のジャンルが選択できる。
【０１３０】
そして、表示画面上では、図３０に示すように「電気製品広告」に関する階層が一段進み、さらに細分化され、利用者は次にその中の「複写機」の選択エリアを選択したと仮定する。特定画像情報管理部４８は、管理テーブルに記憶されている広告画像Ａ〜Ｆの期限情報により合成可能な広告画像として、期限を過ぎた広告画像Ｂと広告画像Ｆを除く広告画像Ａ，Ｃ，Ｄ，Ｅを選択をする。この選択情報をＣＰＵ４４に送り、ＣＰＵ４４は、図３２にあるように、広告画像Ｂと広告画像Ｆを除く、広告画像Ａ，Ｃ，Ｄ，Ｅが選択可能であるとし操作パネル６０の液晶表示画面６０に表示させる。
【０１３１】
このように、広告期限情報に基づいて液晶画面フローの特定画像情報選択手段である出力表示を制御するため、利用者は有効期限を気にせず、複数の特定画像情報選択エリアの中から希望の特定画像情報を選択でき、期限切れ情報は含まれない。No.1の広告画像Ｃを選択すると、図３３の画面に遷移する。そして、気に要らなければ、次の候補や前の候補を選択し直すこともできるし、初期画面に戻ることも可能である。
【０１３２】
この時、特定画像情報管理部４８は、特定画像情報モリ１０２にすでに記憶されている広告画像Ａ〜Ｆの「複写機」広告画像の中で、有効期限に近いものから順に選択可能な広告画像として、図３２にあるように表示画面上に表示させることも可能である。このように合成する広告画像は有効期限が間近なものが優先的に選択され易いように、液晶画面フローの特定画像情報選択手段の出力表示を制御する。従って、利用者は有効期限を気にせず、複数の特定画像情報選択エリアの中から希望の特定画像情報を選択しながら、自然と有効期限が間近なものが優先的に選択され特定画像情報（広告画像）の出力数をできる限り増やすことができる。
【０１３３】
さらに、有効期限の過ぎている広告画像Ｂと広告画像Ｆの取り扱いについて、図３２にあるように有効期限が過ぎた広告画像は、選択エリア上に選択可能な広告画像として表示しないようになっている（No.５、No.６参照）。また、図示していないが、広告画像Ｂと広告画像Ｆの存在は表示するものの、この表示された選択エリアをタッチパネル上から押圧選択しても入力を受け付けないようにすることも可能である。このとき利用者にわかり易くする為に、広告画像Ｂと広告画像Ｆの選択エリア部分に対してハッチングあるいは何らかのパターンを重ねたような表示処理を施して、他の選択可能な広告画像の選択エリアとの区別を行なうようにしてもよい。これらの制御は、特定画像情報管理部４８からの情報に基づいてＣＰＵ４４が制御する。従って、利用者は有効期限を気にせず、複数の特定画像情報選択エリアの中から希望の特定画像情報を選択できる。
このようにして選択された広告画像と原稿画像を合成処理して記録したものが図３１（ａ）であり、また、図３１（ｂ）のように、この広告画像についても、広告画像の有効期限を合わせて記録するようにしてもよい。
【０１３４】
次に、広告画像毎に付加される有効期限情報に基づいて広告画像を管理記憶する方法について説明する。
通常、メモリにはデータを記憶することのできる限界（容量）があって、限られた記憶領域を有効に活用するためには、ただ入力される画像情報を記憶していくだけではなく、効率よく有効な画像情報を記憶管理していくように制御していくことが望ましい。新たな広告画像入力方法としては、図２にすでに述べたように、カラーデジタル複写機１の画像読み取り部４から原稿情報入力するのみならず、ネットワーク接続されたパーソナルコンピュータ３２、デジタルカメラ３３、デジタルビデオカメラ３４、通信携帯端末３５などの外部機器からの画像情報入力に対応している。またインターネットやイントラネットあるいは高成長する通信インフラを通じ、遠隔地より画像情報入力が可能となっている。
【０１３５】
そこで、図２９においても説明したように、各広告画像毎に有効期限を管理する管理テーブルを設けておき、基準日と有効期限とを比較することにより記憶されている広告画像をどのように処理するか確定するようにすれば、メモリを有効活用することが可能である。広告画像の有効期限に基づいて特定画像情報管理部４８により管理、制御する為、画像メモリ４３内の特定画像情報メモリ１０２の有効活用ができる。
【０１３６】
以下、基準日と有効期限とを比較することにより記憶されている広告画像をどのように処理するかを確定する方法について例をあげて説明する。図３４は、特定画像情報管理部４８による広告画像の記憶管理処理を示すフローチャートである。
まず、特定画像情報管理部４８は、基準日と有効期限とを比較して（ステップＳ１）、有効期限を過ぎた広告画像が確認されると（ステップＳ２）、確認された広告画像を特定して（ステップＳ３）、画像メモリ４３の特定画像情報メモリ１０２から自動的に消去する（ステップＳ４）。確認されなければ、そのまま次のステップへと進む。この確認は、電源が投入された段階で自動的にチェックを行うようにしてもよいし、また、制御部（ＣＰＵ）内部のタイマー（時計機能）を用いて日が変わる毎にチェックを行うようにしてもよい。広告画像の有効期限に基づいて特定画像情報管理部４８により管理制御する為、一定猶予期間後に画像メモリ４３内の特定画像情報メモリ領域内から特定画像情報（広告画像情報）を消去し、画像メモリ４３内の特定画像情報メモリ１０２を有効活用する。
【０１３７】
また、他の処理を図３５に示す。
新たな広告画像を記憶させようとするとき（ステップＳ１１）、まず複数記憶されている広告画像の中で有効期限が過ぎているものが無いか確認する（ステップＳ１２）。有効期限が過ぎているものがあれば、その広告画像を特定し（ステップＳ１３）、その画像が記憶されている領域の上に上書き記憶する（ステップＳ１４）。有効期限が過ぎているものが確認されなければ、新たな領域に広告画像を記憶するようにする（ステップＳ１５）。広告画像の有効期限に基づいて特定画像情報管理部４８により管理制御する為、有効期限のきれている特定画像情報（広告画像情報）を無効にして、その上に新しい特定画像情報（広告画像情報）を書き込み記憶させ、新たに特定画像情報管理部４８により管理制御を行ない、画像メモリの有効活用を行なう。
【０１３８】
図３６は、広告画像を新規登録する際の他のメモリ管理処理を示すフローチャートである。新たな広告画像を記憶させようとするとき（ステップＳ２１）、まず画像メモリ４３に新たな広告画像が記憶できるか確認する（ステップＳ２２）。新たに記憶できるエリアが確保できれば、その確保されたエリアに登録するが（ステップＳ２３）、新たに登録するエリアが確保できない場合は、複数記憶されている広告画像の中で有効期限が過ぎているものが無いか確認する（ステップＳ２４）。有効期限が過ぎているものがあれば、その広告画像を特定し（ステップＳ２５）、その画像が記憶されている領域の上に上書き記憶する（ステップＳ２６）。これでも確保できなければ、新規登録ができないことをメッセージ表示するようになっている（ステップＳ２７）。
【０１３９】
このように新たな広告画像を登録する場合、画像メモリ４３内の特定画像情報メモリ１０２の空いているところに記録、登録するが、メモリが一杯であれば特定画像情報管理部４８により管理制御されている有効期限情報を基に、期限が過ぎた広告画像の上に登録する。特定画像情報管理部４８は、画像メモリ４３内の特定画像情報メモリ１０２にすでに記憶されている特定画像情報の中で、画像情報の有効期限を表す期限情報が所定の期限を越えた画像情報を無効にして新たに入力された特定画像情報を記憶管理し、画像メモリ４３の有効活用を行なう。
【０１４０】
次に、画像メモリ４３に記憶管理されている広告画像を確認する方法について説明する。これまでに説明したように、広告画像は有効期限情報と共に、特定画像情報管理部４８の管理テーブルおよび画像メモリ４３に、それぞれ記憶管理されているが、デジタル複写機は記憶されている広告画像および有効期限情報を確認することのできる機能を備えている。記憶されている情報を確認する方法としては、操作パネル６０上に設けられた表示パネル６１を用いて行う方法（図３７）と、画像情報出力部４２のプリンター部から画像情報として出力する方法（図３８）がある。これは、特定画像情報管理部４８が、特定画像情報メモリ１０２に記憶されている広告画像情報１１０から複数選択し、画像編集部４５がこの広告画像のみを処理し合成する処理を確定する。そして、この広告画像情報を確認のため出力するものである。
また、図３９および図４０にあるように、広告画像をこの広告画像に関する付加情報と共に表示（図３９）、あるいはプリント出力することで（図４０）、広告画像がどのようなものなのか詳細に確認することもできる。
【０１４１】
こうして、特定画像情報管理部４８により管理されている特定画像情報（広告画像）に関連する情報（料金管理情報、集計管理情報、サイズ管理情報、有効期限管理情報等）とを一覧表示し、これらの出力を行ない、確認を行なうことができる。例えば、集計での数字の低いものに対しては中止あるいは新しい広告画像情報に変える、または徹底的に期限の迫った広告画像を最優先するなどの総合的な判断の元、対処を広告主は行なうことができる。
【０１４２】
さらにまた、ただ記憶されている順番に出力するだけではなく、図４１にあるように、広告分野毎に出力するようにしてもよいし、特定分野（複写機分野）の広告画像を広告画像に付加されている広告画像に関する情報の中の１つ（広告開始日）を基準にして並び替えて出力することも可能である。
【０１４３】
このようにして確認された広告画像は、必要であればそのまま画像メモリ内に残しておくようにすればよいし、また不要と思うのであれば、消去ボタンにより強制的にメモリから削除するようにしてもよい。さらに、広告画像のサイズ、色合い、有効期限などの情報を変更したい場合、変更ボタンなどの操作により任意に変更することも可能である。
【０１４４】
＜第４実施形態＞
次に、このデジタル複写機の第４実施形態について説明する。第４実施形態は、広告画像を選択することによりコピー料金が確定する料金管理機能を有するものである。第４実施形態のブロック図は図２８と同じであり、特定画像情報管理部４８で料金管理を行う。他の部分は図２８と同じであり、説明は省略する。
【０１４５】
図４２は、第４実施形態において、操作パネル６０の略中央部分に配置されたタッチパネル付き液晶表示装置６１に順次表示されるコピーサービス向け操作画面の一例を示したものである。基本的には、図２７に示したものとほぼ同じ画面であるが、「広告入りコピー」選択エリア１７１〜１７３が異なっているので、その点を中心に概略を説明する。
【０１４６】
図４２（ａ）は本発明の動作可能な状態で待機している時の初期画面であり、もしカラーデジタル複写機１に隣接して配置されたコインベンダー（図示せず）に適切なコピー料金が投入されると、通常のコピーモードとなってカラーコピーあるいは白黒コピーが取れる状態となる。
【０１４７】
次に液晶表示画面には、「広告入りのコピー」選択エリア１７１〜１７３を設けている。広告入りのコピーは複数のジャンルに分けてコピーを取る人の好みで選択可能としている。広告入りコピーモードを選択することにより、コピー料金が通常よりも安くなることをメッセージで表示している。
【０１４８】
図４２（ｂ）は、例えば「お買い物広告入りコピー」選択エリア１７１を指で直接押圧操作した場合の表示画面であり、「お買い物広告入りコピー」選択エリア１７１の表示状態は、モードが選択されていることが操作者に分かりやすくするように反転表示している。この画面では安くなった広告入りコピー料金体系を液晶画面に表示する。
【０１４９】
又この画面では、原稿画像が通常よりも多少縮小されてしまうことのメッセージを出して、利用者に注意を促し、最終的な確認を得るようにしている。そして、もし利用者が原稿画像が縮小されることを望まない場合、「戻る」選択エリア１７６を指で押圧すれば、広告入りコピーモードが解除され初期画面に戻ることができる。原稿が縮小されても広告入りのほうが付加価値が高いと考える利用者は、広告入りコピー料金体系１７５に基づいた料金を隣接されたコインベンダー（図示せず）に投入すると次の画面が液晶表示画面上に現れる。次の画面は図７と同様であるので説明は省略する。
【０１５０】
図３１（ｂ）に示した広告画像とＢ５原稿画像を合成する場合を例として、特定画像情報管理部４８の料金管理について説明する。
画像メモリ４３内の特定画像情報メモリ１０２にすでに複数の特定画像情報（広告画像）１１０が記憶され、特定画像情報（広告画像）１１０はジャンル別に分類されており、利用者は操作パネル液晶タッチパネル６１より好みのジャンルを選択できる。「お買い物広告」１７１、「スポーツ広告」１７２、「音楽映画広告」１７３の中から「お買い物広告」１７１を選択し、Ｂ５原稿のコピーをとりたい場合を想定したもので、前記特定画像情報選択手段により選択された広告画像情報に応じた料金を前記特定画像情報管理部４８により確定する。これにより確定された広告入りコピー料金体系１７５が、通常のコピー料金体系１７４と比べて例えば５円安く、利用者にとってその価格差とコピー出力物が満足なものであれば、利用者は広告入りコピーを選択する。原稿画像の縮小が満足できなければ「戻る」キーを押圧さえすれば通常料金で通常コピーを取ることができる。広告画像と原稿画像の合成はすでに説明したので省略する。
【０１５１】
多くの広告画像が画像メモリ４３内の特定画像情報メモリ１０２にジャンル別に分類されて記憶されており、コピー利用者は自分の好みのジャンルを選べるというメリットがある。また選択したジャンルの広告画像の合成出力コピー料金が、特定画像情報管理部４８は、料金管理機能として料金を確定するので、コピーする前に利用者に分かる。利用者はその価格差と付加価値とで判断し、もし原稿画像が縮小されることが満足できなければ、初期画面に戻って通常コピーを取ることもできる。
【０１５２】
画像メモリ４３内の特定画像情報メモリ１０２に記憶され、特定画像情報管理部４８により管理されている複数の特定画像情報（広告画像）は、割引金額があらかじめ料金管理のため設定されている。また、割引だけでなく特殊なサービスとして特別な情報、付加価値の高い情報を提供する例えば映画や遊園地などの割引券がついていたりする場合、料金が逆に高くなることもある。
【０１５３】
料金管理に関しては、カラーデジタル複写機によるコピーサービス業者と広告料を出資する広告主（コピーサービス業者と広告主が同一の場合や複数広告主の場合あり）とコピー利用者の２者以上の複雑な利害関係があり、一律には決定できない問題ではある。しかし図４３のように画像メモリ４３に各広告画像情報と割り引きあるいは割り増しの料金情報がともに記憶され、特定画像情報管理部４８により管理されている。ここではジャンルごとに同一価格としたが、広告ごとに別の価格にしたり、ジャンルを階層構造にしたりして、料金表を工夫することも可能である。
【０１５４】
多くの広告画像が特定画像情報メモリ１０２にジャンル別に分類されて記憶されており、又それぞれの広告画像の料金が異なっていても、個々の広告画像の料金管理を行っているので、例としては記載していないが、階層的構造にしておけば、最終選択したその広告画像と原稿画像との合成コピー料金は確定する。利用者は、その価格差と付加価値とで判断し、もし満足できなければ、初期画面に戻って通常コピーを取ることもできる。
【０１５５】
実際コピーを取る場合、原稿サイズにより出力用紙サイズが異なる。用紙サイズが変わるとそれに合わせて広告サイズも変わる。トナー使用量その他消耗品等の使用量が異なるため、用紙サイズが変わると図４４のように料金体系も変える必要がある。出力用紙サイズごとに特定画像情報管理部４８の料金管理機能により料金を確定して、液晶表示画面に表示する為、利用者にとって非常にわかりやすい。
【０１５６】
広告画像が付加されない通常コピーの場合を第１の出力モードと称し、広告画像が付加され原稿画像と合成して出力する場合を第２の出力モードと称すると、どちらの場合もトナー使用量や消耗品の使用量はほとんど差はない。違いは広告主がどれだけその広告に価値をみいだして出資するかである。これによりいくら割り引き、あるいは割り増しが可能かが決まる。いずれにしても第１の出力モードと第２の出力モードとは、確定された料金がそれぞれ異なり、広告入り合成出力コピーの料金については、特定画像情報管理部４８が確定を行う。利用者が必要とする原稿の画像情報を大きく損なうこともなく広告画像が付加され、これによってコピー料金が下がったり、原稿画像情報とは異なる新たな情報あるいは特典が得られるメリットのほうが大きい。
【０１５７】
広告を出す広告主にとってどれだけの効果があったかは非常に重要な問題である。効果を計る方法の一つに広告付きのコピーがどれだけ取られたのか、どれだけの人に見てもらえたのかを知る必要がある。図４５のように原稿画像情報のみ出力する第１の出力モードの出力数と、広告画像を合成出力した第２の出力モードの出力数を、特定画像情報管理部４８により集計管理を行う。広告付きコピーがどれだけ取られているのかは広告主にとっては非常に重要な問題である。特定画像情報管理部４８の集計管理手段により日単位、週単位、月単位で集計をとり、ある広告画像情報がどれだけ合成コピーとして取られ、人の目に触れているかを知り、分析することができる。
【０１５８】
広告主にとっては、どの広告が効果あったのか、すなわちどの広告がどれだけ合成コピー取られたのかを知る必要がある。図４６は、例としてＡからＪの広告画像があったとして先月と今月、合成コピーとしてどれだけの数取られたかを示している。各々の広告画像ごとの合成コピー出力数は特定画像情報管理部４８により集計管理を行う。さらに広告画像情報ごとに、どれだけ合成コピーとして取られているか、特定画像情報管理部４８が集計して分析し、数字の低いものに対しては中止あるいは新しい広告画像情報に変えるなどの対処が必要であるということがわかる。
【０１５９】
どの広告がどれだけ合成コピー取られたのかを知るだけでは収支計算はできない。用紙サイズが変わると広告料金も異なるため、すなわち各用紙サイズにおける合成コピー数を知る必要がある。図４６は、ＡからＪの広告画像が今月各用紙サイズ別に特定画像情報管理部４８により集計管理したものである。これを基に各用紙サイズ毎の料金と数をかけて収支計算を行う。それぞれ料金が異なる出力サイズ別、広告画像情報別に、きめこまかい集計管理がなされており、その週あるいは月単位での収支計算ができる。これを基に各出力サイズ別、広告画像別の料金体系を見直すことが可能である。
【０１６０】
それぞれの広告画像を広告主にまとめて特定画像情報管理部４８により集計管理したものが図４７である。各広告主の宣伝効果が歴然と分かる。広告画像合成コピーの集計結果を各広告主単位で分類し、ＫＫＫ広告主の広告画像情報は少ないが、ＹＹＹ広告主の広告画像は非常に多く選択されていることがわかる。その広告画像情報の出力数の違いを分析すれば、さらに良い広告付きコピーシステムができる。
【０１６１】
特定画像情報管理部４８の集計管理機能が、図４５や図４６や図４７のようにそれぞれ広告画像数の管理を行っているが、操作パネルの中央部分のタッチパネル液晶表示装置６１からの指示あるいは暗証番号入力により液晶表示させ、確認することが可能である。又同様の方法で、カラーデジタル複写機本体の印字機能を利用して出力させることにより確認が可能となる。またその結果を基に収支分析が可能となる。広告画像情報とともにその集計結果が合成されて出力されるので、広告画像情報とその集計の数字をいっしょに見て分析できる。
【０１６２】
操作パネル６０の中央部分のタッチパネル液晶表示装置６１からの指示あるいは暗証番号入力により、画像メモリ４３内の特定画像情報メモリに記憶され、特定画像情報管理部４８により管理されている特定画像情報（広告画像）と集計管理情報とを合成出力して、確認が可能となる。広告主ごとに集計管理されている広告画像合成コピー数を、その広告主だけで持っている暗証コードを入力しないと見れない構造としている。他の広告主からはその集計結果を見ることはできない。広告主の戦略を他の広告主に知られずに済むメリットがある。
【０１６３】
図４８のように広告主ごとに集計管理されている広告画像合成コピー数を操作パネル６０の中央部分のタッチパネル液晶表示装置６１からの指示あるいは暗証番号入力により液晶表示させ、確認することが可能である。又同時に、カラーデジタル複写機本体の印字機能を利用してプリント出力させることができる。但し他の広告主の特定画像情報管理部４８内の集計管理は見ることはできない。例えば、ＹＹＹ広告主は暗号を入力することで、図４８のＹＹＹ広告主の部分のみ液晶表示あるいは出力による確認ができる。
【０１６４】
＜第５実施形態＞
次に、第５実施形態のデジタル複写機について説明する。第５実施形態は、自動的に特定画像情報を選択する。第５実施形態のブロック図は図２８と基本的に同じである。図２８のブロック図に示すように、さまざまな画像入力方法により入力された複数の特定画像情報は、カラーデジタル複写機１に備えられた画像メモリ４３の一部である特定画像情報メモリ１０２にあらかじめ記憶され、特定画像情報管理部４８で管理される。特定画像情報メモリ１０２に記憶されている複数の特定画像情報（広告画像）の中から、特定画像情報管理部４８が有する特定画像情報自動選択機能によって、最適な広告画像情報が自動的に選択される。さらに画像編集部４５は、広告画像情報１１２に対して行うべき複数種の第２の処理内容を把握し、原稿画像情報１１１の特徴から原稿画像１１１に対しては第１の処理を確定し、広告画像情報１１２の特徴などから広告画像１１２に対しては第２の処理を確定する。カラーデジタル複写機は、読み取った原稿の画像情報１１１と、選択された広告画像情報１１２とを合成して１つの画像情報として出力する。
【０１６５】
結果として、お互いの画像情報が有している特徴を損なうことなく、用紙の上に原稿画像情報と広告画像情報を１つの画像として再現することが可能となる。さらに、複数の特定画像情報（広告画像）の中から自動的に原稿と共に合成すべき画像情報を選択するので、複数記憶管理されている画像情報が平均的に、また情報を提供される側においても意味のある情報が得られるようになっている。
【０１６６】
このように、利用者は広告画像に対するサイズ、内容あるいはその他の処理等を検討する必要がなく、特定画像情報管理部４８が複数の特定画像情報（広告画像）の中から最適な広告画像情報を自動選択する。そして画像編集部４５が、広告画像情報に対して行うべき複数種の画像処理内容を把握し、原稿画像と広告画像のそれぞれの画像処理内容を確定する。ここで、画像編集記録装置（カラーデジタル複写機）は、読み取った原稿の画像情報と、自動選択された特定画像情報とを合成して１つの画像情報として出力する。結果としてお互いの画像情報が有している特徴を損なうことなく、用紙の上に原稿画像情報と広告画像情報を１つの画像として再現することが可能となる。
【０１６７】
複数の特定画像情報（広告画像）の中から原稿画像と共に記録する広告画像情報として自動的に選択する条件としては、特定画像情報（広告画像）毎の出力経過情報（出力日時、出力回数など）、特定画像情報（広告画像）を提供する時季情報（時間、季節など）などがあり、詳細については、例をあげて以下に説明する。
【０１６８】
まず、出力経過情報による選択について説明する。
各々の広告画像情報ごとの合成コピー出力回数は、特定画像情報管理部４８により集計管理されており、特定画像情報管理部４８に備えられた特定画像情報自動選択手段により、それぞれの特定画像情報が平均的に出力されるように管理制御されている。
【０１６９】
図４９は、特定画像情報である広告画像Ａから広告画像Ｊが原稿サイズ毎に記憶管理されているものとして仮定した場合の管理テーブル上での一例である。この管理テーブルにより、原稿画像と共に合成コピーとして記録される特定画像情報（広告画像）が、それぞれどれだけの数出力されたか管理するようになっている。そして、それぞれの用紙サイズごとの特定画像情報は、この管理テーブル上のデータからほぼ平均的に出力されるように、特定画像情報管理部４８により管理されている。従って、複数記憶管理されている特定画像情報は、過去の出力レベル（回数）が平均化されることになる。さらに、次に選択されるべき特定画像情報は既に決定されている。
このように、各々の広告画像情報ごとの合成コピー出力数は、特定画像情報管理部４８により集計管理され、それぞれの特定画像情報が平均的に出力されるように選択管理するので、利用者側はより広い情報が入手でき、広告主側はより多くの情報を不特定多数の人に伝えるという広告本来の目的が達成可能となる。
【０１７０】
なお、次回出力される特定画像情報の確定は、広告コピーモードが選択され処理を実行するときに合成すべき広告画像として確定するようにしてもよい。さらに、上記管理テーブル上では、特定画像情報毎の出力回数のみを管理するような構成となっているが、過去の経歴情報として特定画像情報毎の出力履歴情報（出力日時）を記憶管理するようにしておき、この出力履歴情報をも含めて原稿画像と共に出力する広告画像情報として選択するようにすることも可能である。
【０１７１】
次に、原稿の交換、あるいは複写枚数による広告画像の選択について説明する。
原稿画像情報入力手段から入力された原稿画像情報をマルチコピー（複数枚コピー）する場合、あるいは複数枚の異なる原稿の束をコピーする場合に、コピー枚数、あるいは原稿枚数に応じて、特定画像情報メモリ１０２に記憶されている複数の特定画像情報の中から、それぞれ異なる特定画像情報を自動的に選択して原稿画像と共に広告画像が追加された合成コピーとして再現する。
【０１７２】
１枚の原稿から複数枚のコピーを得ようとする場合、特定画像情報管理部４８にコピー枚数情報が入力され、特定画像情報管理部４８は、コピー１枚毎に合成する広告画像が異なるように画像メモリ４３から読み出したり、画像メモリ４３に記憶されている複数の広告画像情報を順番に読み出しながら、コピー１枚毎に合成される広告画像が異なるように処理する。また、あまりにも１枚の原稿から大量のマルチコピー数を取る場合は、マルチコピーＮ枚おきに合成処理する特定画像情報を次の異なる広告画像に切り換えて合成するように処理することも可能である。特定画像情報数以下のマルチコピー数であれば、同じ原稿画像情報であっても特定画像情報はすべて異なり、合成コピーで同じ物は１枚もない。従って利用者側はより広い情報が入手でき、広告主側はより多くの情報を不特定多数の人に伝えるという広告本来の目的が可能となる。
【０１７３】
次に原稿画像情報入力手段から新たな原稿画像情報が入力される毎に、広告画像が切り換えられて原稿画像毎に異なる広告画像が合成される処理方法について説明する。
すなわち２枚以上の原稿をコピーする時、特定画像情報管理部４８に備えられた特定画像情報自動選択機能は、原稿が変わる毎に上記特定画像情報記憶メモリ１０２に記憶されている複数の特定画像情報の中から、異なる特定画像情報を順次選択する。画像編集部４５により各画像処理内容が確定される。複写機は、その内容に従って画像処理と合成を行い、それぞれ異なる広告画像入りの合成コピーを出力する。従って、利用者側はより広い情報が入手でき、広告主側はより多くの情報を不特定多数の人に伝えるという広告本来の目的が達成可能となる。
【０１７４】
次に、他の例として、広告情報のみを出力し確認することが可能な出力モードについて説明する。
このカラーデジタル複写機は、データ画像入力部（スキャナ）４０にて読み取った原稿画像情報１１１と選択された特定画像情報（広告画像）を合成し、一つの出力画像として出力する第１の出力モード（通常の広告合成コピー）と、特定画像情報として複数記憶されている広告画像情報ばかりを合成し出力する第２の出力モードを備えている。ここで、出力モードの選択は、操作パネル上のキーあるいは液晶タッチパネルからの操作により（図示せず）により行う。
【０１７５】
図５０は、第１及び第２の出力モードのブロック図である。基本的には、図２８のブロック図と同じであるが第２の出力モードでは、使用するブロックと情報が異なる。図５０（ａ）の第１の出力モードのブロック図は、図２８とまったく同じであるので、説明は省略する。図５０（ｂ）の第２の出力モードでは、画像メモリ４３内の特定画像情報メモリ１０２に記憶されている複数の特定画像情報（広告画像）１１０の中から複数の広告画像情報を、特定画像情報管理部４８が自動選択する。画像編集部４５が、選択した複数の広告画像情報を合成する処理内容を確定する。この処理に基づいて、デジタル複写機は、選択された複数の特定画像情報（広告画像）を合成して１つの画像情報として出力する。
利用者の中には、原稿画像がなくても広告画像情報だけ欲しい人も存在するので、そのような人の為に複数の広告画像を１枚の記録材上にまとめて出力するモードを設けている。
【０１７６】
図５１に、他の第２の出力モードのブロック図を示す。この第２の出力モードは、１つの広告画像情報を出力画像として出力するモードである。従って、特定画像情報管理部４８は、複数の広告画像情報１１０の中から広告画像情報１１２を１つ自動選択し、画像編集部４５は、この広告画像情報１１２の出力位置を確定する。この画像情報合成部１０５で出力画像を構成し、画像情報出力部４２により出力する。前述例は、１枚の記録紙の中に複数の広告画像を合成して出力するのに対して、本例は、記録紙１枚につき１つの広告画像情報を出力させることを特徴としている。
【０１７７】
上述の各出力モードに対する操作パネルからの操作について説明する。
図２７に示したように、操作画面上には複数の特定画像情報（広告画像）を分野別に示す選択エリアが設けられている。また、特定画像情報管理部４８により複数の特定画像情報（広告画像）は、分野別に管理されている。
まず第１の出力モードについて説明する。利用者は操作パネル液晶タッチパネルより好みの分野が選択できる。ここでは例として、「電気製品情報」「服飾関係情報」「賃貸住宅情報」の３つの選択エリア１６１〜１６３の中から利用者が「電気製品情報」１６１を選択した場合を想定する。特定画像情報管理部４８は、画像メモリ４３内の特定画像情報メモリ１０２に記憶されている「電気製品情報」分野の特定画像情報（広告画像）を一つ選択し、入力された原稿画像情報との合成コピーを出力する。
【０１７８】
次に第２の出力モードについて説明する。利用者が「電気製品情報」「服飾関係情報」「賃貸住宅情報」の３つの選択エリア１６１〜１６３の中から「電気製品情報」１６１を選択すると想定する。ここで、複数の広告画像情報が、画像メモリ４３内の特定画像情報メモリ１０２に記憶されており、特定画像情報管理部４８は、管理している複数の特定画像情報（広告画像）の中から「電気製品情報」１６１に関する複数の広告画像情報を自動選択する。画像編集部４５が、広告画像情報の画像処理内容を確定する。デジタル複写機は、「電気製品情報」に関する複数の特定画像情報（広告画像）を合成して１つの画像情報として出力する。
【０１７９】
次に時季情報による広告画像情報の選択について説明する。
図２８のブロック図に示すように、さまざまな画像入力方法により入力されたさまざまな分野の複数の特定画像情報は、カラーデジタル複写機１に備えられた画像メモリ４３の一部である特定画像情報メモリ１０２にあらかじめ記憶され、特定画像情報管理部４８で分野別に管理される。
【０１８０】
特定画像情報管理部４８は、管理している複数の特定画像情報（広告画像）の中から時間情報に応じた最適な広告画像情報を自動選択する。それぞれの画像処理内容を確定し、ここで画像編集記録装置（カラーデジタル複写機）は、読み取った原稿の画像情報と、選択された特定画像情報とを合成して１つの画像情報として出力する。例えば、午前中はその日だけ有効な情報、その日の催し情報だとか、昼の弁当情報等のお買い物情報を優先的に、午後からはレストラン情報、映画・観劇・スポーツ情報などの娯楽情報（割引き付きであっても良い）等を中心に自動選択する。時間帯に応じて特定画像情報管理部４８で管理されている広告画像管理テーブル（広告画像群）を切り換える。さらに細かく時間帯を区切って内容を変えて管理を行なっても良い。
【０１８１】
こうしてデジタル複写機は、多くの広告画像情報の中から時間情報に応じた最適な広告画像情報を自動選択し、それぞれの画像処理内容を確定し、読み取った原稿の画像情報と、選択された特定画像情報とを合成して１つの画像情報として出力する。時間帯によって有効な情報は存在する。例えば午前中はその日だけ有効な情報、その日の催し情報だとか、昼の弁当情報等のお買い物情報を優先的に、午後からはレストラン情報、映画・観劇・スポーツ情報などの娯楽情報（割引き付きであっても良い）等を中心に午前と午後、切り替えることによってより利用者にとってより有効な広告画像情報となる。切り替えることにより、広告入り合成コピーをとる割合が増え、広告主にとってもメリットある。また時間帯によって利用者層も異なり、利用者層に合わせた広告画像情報を設定することもできる。
【０１８２】
また、図５２に示すように操作画面上には複数の特定画像情報（広告画像）を分野別に示す選択エリアが設けられている。特定画像情報管理部４８により分野別に又時間情報の基、管理されている。ここでは例として午前中は「お買い物情報」「イベント情報」「賃貸住宅情報」の３つの分野の選択エリア１８１〜１８３が操作画面上に現れる（図５２（ａ））。午後からは「レストラン情報」、映画・スポーツ・観劇・コンサートなどの「娯楽情報」「服飾情報」の３つの分野の選択エリア１８５〜１８７に切り替えられる（図５２（ｂ））。このように、時間帯に応じて特定画像情報管理部４８で管理されている広告画像管理テーブル（広告画像群）を切り換える（図５３参照）。さらに細かく時間帯を細かく区切って内容を変えて管理を行なっても良い。時間帯に応じて分野を切り換えることにより、広告入り合成コピーをとる割合が増え、利用者にとっても、広告主にとってもメリットは大きい。また時間帯によって利用者層も異なり、利用者層に合わせた広告画像情報を設定することもできる。
【０１８３】
さらに、図２８のブロック図に示すように、さまざまな画像入力方法により入力されたさまざまな分野の複数の特定画像情報は、カラーデジタル複写機１に備えられた画像メモリ４３の一部である特定画像情報メモリ１０２にあらかじめ記憶される。特定画像情報管理部４８で分野別にまた暦（月・曜日・季節）にも管理されている。特定画像情報管理部４８に備えられた特定画像情報自動選択機能は、管理している複数の特定画像情報（広告画像）の中から、暦（月・曜日・季節）情報に応じた最適な広告画像情報を自動選択する。画像編集部４５歯、それぞれの画像処理内容を確定し、ここで画像編集記録装置（カラーデジタル複写機）は、読み取った原稿の画像情報と、選択された特定画像情報とを合成して１つの画像情報として出力する。広告画像情報の中には企業イメージ広告のように月単位あるいは季節単位で内容を変えれば良いような広告やあるいは日曜日のみ有効な広告などに有効である。
【０１８４】
さて、図５２などに示すように操作画面上には複数の特定画像情報（広告画像）を分野別に示す選択エリアが設けられている。特定画像情報管理部４８により暦（月・曜日・季節）情報の変化に応じて、広告画像管理テーブル（広告画像群）により曜日毎に表示を切り換え、分野別の管理を行なう（図５４参照）。広告画像情報の中には企業イメージ広告のように月単位あるいは季節単位で内容を変えれば良いような広告やあるいは日曜日のみ有効な広告などに有効である。
【０１８５】
＜第６実施形態＞
次に、第６実施形態のデジタル複写機を説明する。この第６実施形態は、原稿画像情報と広告画像情報から合成したときに見やすいように画像処理を施すものである。このデジタル複写機のブロック図は図２８と同様であり、詳しい説明は省略する。
【０１８６】
以下、操作パネルの画面を用いながら、本実施形態をさらに詳しく説明する。操作パネル６０の操作画面フローは、図６〜図７に示したものと同じであリ、詳しい説明は省略する。
コピーサービス店向けの操作画面フローは、少々機能を限定してでもわかりやすく、誰でもが簡単に操作できることを特徴としている。従って、原稿の載置（セット）方向を限定し、かつ「横原稿サイズ横書きの下方に広告画像をコピー合成する」、もしくは「縦原稿サイズ横書きの下方に広告画像をコピー合成する」のいずれかしか選択できないようになっている。しかし、本実施形態は、このような制限を加えずに、広告画像の位置を原稿画像に対して選択範囲を広くし、しかも操作性を簡単にしたものである。以下に詳しく説明する。
【０１８７】
例えば、Ａ４原稿画像サイズで考えると、図５５に示すように、大きく分けてＡ４原稿縦サイズ横書き、Ａ４原稿縦サイズ縦書き、Ａ４原稿横サイズ横書き、Ａ４原稿横サイズ縦書きの４種類が考えれる。また広告画像位置も記録紙内で上、下、左、右の４種類が考えられ、これらの組み合わせで多くの広告画像位置が存在する。利用者は、それぞれの原稿画像の特徴にあわせて、広告画像を任意の位置に合成コピーしたいという要望を持っている。
【０１８８】
操作画面の実施例としては、図５６（ａ）に示すように、縦サイズ記録紙の上、下、左、右と横サイズ記録紙の上、下、左、右の８ケ所に広告画像位置を確定するための「選択エリア」１９１，１９２を設け、利用者が望む「選択エリア」１９１，１９２をタッチすることにより、広告画像位置は記録紙に対して確定される。図５６（ｂ）の画面に進み、原稿画像１９４と広告画像の合成画像１９５を表示し、利用者に確認させる。
【０１８９】
図５６では、縦サイズ記録紙と横サイズ記録紙の両方を操作画面上に示したが、他の例として原稿サイズ読取部４からサイズ情報、後述する原稿情報（文字列の並び方）の自由抽出により縦サイズ、横サイズは判断できる。従って縦サイズ、横サイズを操作画面上で区別する必要はなく、操作画面上では１つの記録紙に対して上、下、左、右の４ケ所に広告画像位置を確定するための「選択エリア」を設けても良い。
一旦広告画像位置を確定しても、操作画面内の「戻る」選択エリア１９３を押すことにより、利用者は再度広告画像位置を確定し直すことができる。
【０１９０】
原稿はカラーデジタル複写機１の原稿台２にセットしカバーを閉じてコピーするか、原稿台２の上面の自動原稿送り装置（ＲＡＤＦ）３に載置し、コピーを行うことができる。利用者は間違えて原稿の上下を逆にすることが良くある。通常のコピーであればたいした問題ではないが、原稿画像と広告画像を合成する本実施形態では問題となる。原稿の載置方向（上下）を間違えると原稿画像は逆さまに読み取られる。
【０１９１】
例として図５６（ａ）に示したように、広告画像の位置選択として縦サイズ記録紙の「選択エリア」１９２で下方を選んだとすると、図５７に示すように原稿画像と広告画像が合成された１枚のコピーの中で、それぞれの向きが上下反対になるという問題を引き起こす。
【０１９２】
そこで、画像編集部４５にある原稿画像特徴抽出機能により、原稿画像の特徴（文字の上下方向・文字の並び方・原稿載置方向）を抽出する。画像編集部４５は、この原稿画像の特徴に基づいて、第１の処理確定機能により原稿画像情報に対する画像処理を確定し、第２の処理確定機能により特定画像情報に対する画像処理を確定する。上記問題の解決を含めて、合成処理確定機能で原稿のコピー画像はもちろんのこと、原稿画像に影響を与えないように考慮しながら確定された広告画像を正しい位置に配置合成する処理を確定する。こうして、デジタル複写機は、合成コピーを行い、用紙上にそれぞれの画像を効果的に記録出力する。
ここでいう原稿画像に対する処理と、広告画像に対する処理について、入力された原稿画像の文字の上下方向、並び方に基づいて、原稿画像と広告画像の向きが逆にならない具体的方法を２つの例で説明する。
【０１９３】
まず図５８に示すように、もし入力された原稿画像が画像編集部４５の原稿画像特徴抽出機能により上下逆さまと判断されれば、ハードディスク４３ａ〜４３ｄ上に記憶された原稿画像データを合成用メモリ４３ｆ上で展開し直し、広告画像に対して正しい向きになるように原稿画像を合成処理する。この正しい向きに修正された原稿画像と利用者が任意に選んだ広告画像位置に、特定画像情報記憶手段に記憶されている広告画像との合成コピーを行う。原稿を上下逆さまにセットしコピーしても、広告画像の向きと一致するよう、入力された原稿画像データを画像処理するため、利用者は原稿セットの際、原稿上下を気にしなくても良い。
【０１９４】
また、図５９に示すように、もし入力された原稿が画像編集部４５の原稿画像特徴抽出機能により、上下逆さまと判断されれば、特定画像情報記憶手段に記憶されている広告画像を、合成用メモリ４３ｆ上で画像回転及び位置変更を行うことによって、原稿画像に対して正しい向きになるよう広告画像を合成処理する。この正しい向きに修正された原稿画像と利用者が任意に選んだ広告画像位置に、特定画像情報記憶手段に記憶されている広告画像との合成コピーを行う。原稿を上下逆さまにセットしコピーしても、逆さまの原稿画像の向きと一致するよう、選択された広告画像データを画像処理するため、利用者は原稿セットの際、原稿上下に気を使わなくて良い。
【０１９５】
画像編集部４５の合成処理確定機能において、記録紙に対して広告画像の位置が確定されるが、それぞれの原稿画像と広告画像の位置関係と、原稿画像特徴抽出機能により抽出された原稿画像の特徴（文字の上下方向・文字の並び方・原稿載置方向）を、操作パネルに表示させ、操作者が広告画像の出力エリアを選択させる。特定画像情報管理部４８は、特定画像情報メモリ１０２に記憶されている広告画像の中から適切な（縦書き、横書き、広告画像のサイズ）広告画像を自動選択する。図６０にＡ４用の各種広告画像の例をいくつか紹介している。すなわち、縦サイズ用横書き広告画像、横サイズ用横書き広告画像、横サイズ用縦書き広告画像及び縦サイズ用縦書き広告画像等である。
【０１９６】
図６１は、図５５に示した各種原稿画像の特徴に基づいて、図６０に示した広告画像（１部表示）の中から適切な広告画像を自動選択して合成コピーした実施例のいくつかを示している。それぞれ更に詳しく説明すると、図６１（ａ）は原稿がＡ４縦サイズ、横書きであると、画像編集部４５の原稿原稿特徴抽出機能により特徴抽出されたときの例であり、広告画像位置は図５６（ａ）の操作画面により「下」が選択されている。この場合、Ａ４縦サイズ用横書き広告画像が自動選択される。
【０１９７】
図６１（ｂ）は原稿がＡ４縦サイズ、縦書きであると原稿特徴抽出手段により特徴抽出されたときの例であり、広告画像位置は図５６（ａ）の操作画面により「下」が選択されている。この場合も、Ａ４縦サイズ横書き広告画像が自動選択される。
【０１９８】
図６１（ｃ）は原稿がＡ４横サイズ、横書きであると原稿特徴抽出手段により特徴抽出されたときの例であり、広告画像は図５６（ａ）の操作画面により「下」が選択されている。この場合、Ａ４横サイズ用広告画像が自動選択される。
【０１９９】
図６１（ｄ）は原稿がＡ４横サイズ、縦書きであると原稿特徴抽出手段により特徴抽出されたときの例であり、広告画像は図５６（ａ）の操作画面により「左」が選択される。この場合、Ａ４横サイズ用縦書き広告画像が自動選択される。
【０２００】
このように、利用者は、原稿画像の特徴（文字の上下方向・文字の並び方・原稿載置方向）に基づいて広告画像の配置を指定すると、それに適合する広告画像をデジタル複写機が自動選択し、合成画像処理を行う。したがって、広告画像のサイズ、横書き、縦書きなどいっさい利用者は気にしなくてもよい。
【０２０１】
以上述べた例は、広告画像位置の確定に関し、利用者が液晶タッチパネル操作画面から指示するものであったが、以後述べる例については、カラーデジタル複写機１された自動的に広告画像の位置を確定するものである。
【０２０２】
次に、あらかじめ自動的に決められた広告画像位置に対して、原稿画像の特徴（文字の上下方向・文字の並び方・原稿載置方向）情報からその位置とサイズに適した広告画像を、特定画像情報メモリ４３に記憶されている広告画像の中から自動選択するものである。ここで例として図６１（ｂ）のように原稿がＡ４縦サイズ、縦書き、広告画像は「下」と自動設定されている場合、この広告画像位置と原稿の縦サイズ縦書きの特徴からＡ４用縦サイズ用横書き広告画像を自動選択する。このため、非常に操作が簡単となる。
【０２０３】
原稿画像の特徴（文字の上下方向・文字の並び方・原稿載置方向）情報から適切な広告画像の位置を確定する手段として、広告画像位置管理テーブルを持ち図６２に示すようにあらかじめデフォルト設定しておく。
ただし操作パネルあるいは液晶タッチパネル上からの操作で広告画像位置管理テーブルの設定変更できる手段を備えておき、管理者または利用者は広告画像の位置自動決定の条件を変更できる。
【０２０４】
ここで例として図６１（ｄ）のように原稿がＡ４横サイズ、縦書きの場合、図６２の広告画像管理テーブルのデフォルトから広告画像位置は「左」であり、この広告画像位置と原稿の横サイズ、縦書きの特徴からＡ４用縦サイズ用縦書き広告画像を自動選択する。
設定変更例としては図６２の原稿がＡ４縦サイズ、縦書きの場合に示すように、デフォルトは「左」であるが、管理者あるいは利用者の設定変更により、原稿がＡ４縦サイズ、縦書きの場合は常に広告画像位置は「下」に確定される。広告画像位置は広告画像位置管理テーブルにより自動的に確定されるが、広告画像位置管理テーブルの設定変更できる手段を備えておき、管理者または利用者が広告画像の位置自動決定の条件を変更できるようにしているため、特殊な用途にも対応できる。
【０２０５】
入力された原稿画像情報を図６３に示すように、液晶タッチパネル表示装置６１に表示すると共に、原稿画像と広告画像を合成した広告画像入りのコピーの結果も表示する。すなわち広告画像の位置も、この表示により確認ができる。広告画像位置の確定は利用者が液晶タッチパネル操作画面から指示しても良く、又広告画像位置管理テーブルから自動的に確定されても良い。従って、広告入りコピー前に入力された原稿画像の状態が確認でき、また広告画像位置をふくめて全体のバランスを利用者は確認できるので、失敗コピーが大幅に削減できる。
【０２０６】
利用者が自動原稿送り装置３あるいは原稿台２上において、原稿載置方向を間違え原稿を上下逆さまにセットすることがあることはすでに説明した。
この場合図６４に示したように原稿画像は上下逆さまに入力され、そのまま液晶タッチパネル表示装置６１に表示される。しかし入力された原稿画像が原稿画像特徴抽出手段により上下逆さまと判断されれば、一旦ハードディスク４３ａ〜４３ｄ上に記憶された原稿画像データを合成用メモリ４３ｆ上で展開し直し、上下方向が適切な状態の原稿画像と広告画像を合成した広告画像入りコピーの結果も表示する。すなわち広告画像位置も、原稿画像情報の正しい向きに対して確認ができた上でコピーを実行することができる。
【０２０７】
利用者が原稿を上下逆さまにセットしたとしても、上記原稿画像の特徴（文字の上下方向・文字の並び方・原稿載置方向）情報から画像処理により、正常な方向に修正された原稿画像が表示され、また広告画像位置をふくめて全体のバランスを利用者は確認できる。従って失敗コピーが大幅に削減できる。
【０２０８】
図６４に示したように入力された原稿画像と広告画像は合成され、原稿画像の入力状態及び入力された原稿画像に対する広告画像の位置は広告画像入りコピーとして液晶タッチパネル表示装置６１に表示される。この最終の広告画像入りコピーの表示を利用者が見て、気に入らず広告画像位置を変更したい場合も想定される。その場合上記広告画像入りコピー確認画面上に広告画像位置を変更指示するための「変更選択エリア」を表示し、この「変更指示エリア」がタッチされると広告画像位置はその位置の確定され、原稿画像の特徴（文字の上下方向・文字の並び方・原稿載置方向）情報からその位置とサイズに適した広告画像を、特定画像情報記憶手段に記憶されている広告画像の中から再度自動選択するものである。確認した画面上で広告画像位置を変更指示することができるため、簡単操作で広告画像位置が変えられ、さらに変更後の広告画像入りコピーの表示で再度コピー前に確認できる。
【０２０９】
＜第７実施形態＞
第７実施形態は、カラーデジタル複写機を有する画像情報処理システムであり、このカラーデジタル複写機は、前述の実施形態のように、原稿画像と特定画像情報（広告画像）を合成する際にそれぞれの画像情報の特徴に合わせて処理する。そして、第７実施形態は、これらカラーデジタル複写機で処理する特定画像情報を本社、本部の特定画像情報管理装置で管理する画像情報処理システムである。
【０２１０】
図６５は、第７実施形態のカラーデジタル複写機のブロック図である。このブロック図は基本的には図２８とほぼ同じ構成であるので、同一部分には対応する符号を付し、説明は省略する。このデジタル複写機は、電話回線、地上波、衛星通信等の通信インフラ２１２，２１３により広告などの特定画像情報が転送され、それを通信Ｉ／Ｆ４７から取り込む点が図２８とは異なる。取り込んだ特定画像情報は、画像メモリ４３内の特定画像情報メモリであるハードディスク４３ａ〜４３ｄに予め記憶され、特定画像情報管理部４８により管理される。
【０２１１】
コピー利用者は特定画像情報（広告画像等）付きコピーと通常のコピーの選択が可能であり、コピー利用者が付与価値を見い出せるような特定画像情報（広告画像等）を作成することが重要である。その為には、特定画像情報（広告画像等）付きコピーの利用状況、特定画像情報（広告画像等）毎の出力状況など各種データを集計し、得られるデータの分析が必要となる。以下に、この分析について説明する。
【０２１２】
本社、本部での特定画像情報（広告画像等）の一括作成と転送について説明する。
図６６は、チェーン店組織のコンビニエンスストアを例にした相互情報転送手段により特定画像情報（広告画像等）転送を行うデジタル画像情報処理システム図である。スーパーマーケットやコンビニエンスストア等のようにコピーサービスも行っているチェーン店組織において、本社、本部の特定画像情報管理装置２１１は各店のための特定画像情報（広告画像等）を一括作成し、記憶管理している。この特定画像情報管理装置２１１から電話回線、専用線を用いたインターネットやイントラネット等の相互情報転送手段２１２により、定期的に各店のデジタル複写機の通信ユニット（通信インターフェース）４７に特定画像情報（広告画像等）情報データは転送される。転送された特定画像情報データは、すでにＣＭＹＫ信号であり、一旦中間調処理部４１ｈで処理を施して画像メモリ４３のハードディスク４３ａ〜４３ｄに記憶される。
【０２１３】
ハードディスク４３ａ〜４３ｄに記憶された特定画像情報（広告画像等）は、特定画像情報管理部４８において管理され、特定画像情報（広告画像等）の中から最適な特定画像情報（広告画像等）情報を自動選択する。さらに画像編集部４５は、特定画像情報（広告画像等）情報に対して行うべき複数種の画像処理が施され、カラーデジタル複写機の所定位置にセットされた原稿の原稿画像情報を画像編集部４５が合成用メモリ４３ｆを使用し合成処理を行い、同じ用紙の上に合わせて記憶する。相互情報転送手段２１２の他の例として衛星を用いた衛星通信網２１３や、地上波通信（図示せず）などもある。
【０２１４】
第７実施形態のポイントは、安いコストでしかも利用者に付加価値が有ると認めてもらえるような特定画像情報（広告画像等）を作成するために、双方向性の通信インフラを利用し、本社、本部で一括して作成した特定画像情報（広告画像等）を各店に対して転送し、各店のデジタル複写機からは特定画像情報（広告画像等）付きコピー出力の集計管理データを本社、本部に集めることである。これらの集計データを分析し、さらにより良い特定画像情報（広告画像等）を作成することにより、特定画像情報（広告画像等）付きコピーの利用率をあげることが狙いである。また各店で作成された特定画像情報（広告画像等）の中で優れたものを本社、本部で取り上げ、この優れた特定画像情報（広告画像等）を各店に転送することで、効率良く特定画像情報（広告画像等）を作成することもポイントである。
【０２１５】
以下、図を用いて本発明のデジタル画像情報処理システムについてさらに説明する。
本社、本部で一括して作成された特定画像情報（広告画像等）は、（本社、本部での特定画像情報（広告画像等）の一括作成と転送）で説明したように、各店のデジタル複写機に記憶され、管理される。また、デジタル複写機に記憶管理されている特定画像情報（広告画像等）は、いろいろなジャンルの中から選択可能であり、また特定画像情報（広告画像等）を選択せずに通常のコピーも可能である。このように、本社、本部側から定期的に特定画像情報（広告画像等）情報を各店のデジタル複写機に転送するので、特定画像情報（広告画像等）作成のトータルコストが安くでき、特定画像情報（広告画像等）の作成者の専門化がはかれ、ノウハウも本社に蓄積され優れたものが作れる。また、広域で同じ特定画像情報（広告画像等）が使用されるので、本社、本部は広告スポンサーを集め易く、定期的にタイムリーな特定画像情報（広告画像等）が各店は入手できる。
【０２１６】
各店では特定画像情報（広告画像等）付きコピーがどれだけ利用されているか、また、どの特定画像情報（広告画像等）が良く選択されているか等を知ることは、本社、本部にとって更には広告主（スポンサー）にとって、効果を計る方法の一つであり、どれだけの効果があったかは非常に重要な問題である。
【０２１７】
特定画像情報（広告画像等）の集計の例を次に説明する。
図６７に集計管理テーブルを示す。この集計管理テーブルは、月単位で通常のコピーと特定画像情報（広告画像等）付きコピーの出力数をそれぞれ比較した例である。図６８は、ＡからＪの広告画像があったとして先月と今月、特定画像情報（広告画像等）付きコピーとしてどれだけ出力されたかを示す集計管理テーブルである。図６７及び図６８における特定画像情報（広告画像等）付きコピー毎の出力数は、特定画像情報管理部４８により集計管理を行う。図６９はそれぞれの広告画像を広告主別にまとめて特定画像情報管理部４８により集計管理したものである。各広告主等の宣伝効果が歴然と分かる。
【０２１８】
各店のデジタル複写機ごとに、特定画像情報管理部４８において集計結果は管理されているので、各店のデジタル複写機は、特定画像情報（広告画像等）付きコピー出力の集計管理データを定期的に、すでに説明した相互情報転送手段２１２を介して本社、本部の特定画像情報管理装置（本社、本部側管理装置）２１１に転送する。転送されてきた特定画像情報（広告画像等）付きコピー出力の集計管理データは、特定画像情報管理装置（本社、本部側管理装置）２１１の集計情報記憶管理部で記憶管理される。本社、本部は各店から転送されてきた集計結果データを集め、さらに全体あるいは地域ごとに集計を行い、各々の特定画像情報（広告画像等）の分析を行う。
【０２１９】
また、各店で作成された特定画像情報（広告画像等）の中には、優れたものも有り、その特定画像情報（広告画像等）を、その地域全体で、あるいは全国的に活用すべきものが有る。各店はそういった優れた特定画像情報（広告画像等）を、すでに説明した相互情報転送手段２１２を介して特定画像情報管理装置（本社、本部側管理装置）２１１に転送する。
【０２２０】
こうして、本社、本部は、さらに、これらの情報を集計し、分析することにより、特定画像情報（広告画像等）の継続、新規作成の判断ができるとともに、より良い特定画像情報（広告画像等）の作成ノウハウが蓄積でき、本社、本部における広告主（スポンサー）の開拓に集計データや分析データが利用できる。
【０２２１】
また、転送されてきた特定画像情報（広告画像等）を特定画像情報管理装置（本社、本部側管理装置）２１１に一旦記憶させ、本社、本部側がこれを確認してから採用することを決定するとすれば、特定画像情報管理装置（本社、本部側管理装置）２１１で管理を行うことができる。この特定画像情報（広告画像等）を上記の相互転送手段２１２を介して、他店のデジタル複写機に転送を行う。本社、本部の特定画像情報管理装置（本社、本部側管理装置）２１１からは一括作成した特定画像情報（広告画像等）を、定期的に相互情報転送手段２１２を介して各店のデジタル複写機に転送するが、一方的に転送するだけでなく、各店のデジタル複写機からは、特定画像情報（広告画像等）付きコピー出力の集計結果データを定期的に相互情報転送手段２１２を介して特定画像情報管理装置（本社、本部側管理装置）２１１に返すフィードバックシステムである。
【０２２２】
本社、本部の特定画像情報管理装置（本社、本部側管理装置）２１１は、各店のデジタル複写機に対し、デジタル複写機で集計管理している特定画像情報（広告画像等）付きコピー出力集計データの転送要求を出すと、転送の要求に応じて、各店のデジタル複写機はすでに説明した相互情報転送手段２１２を介して本社、本部の特定画像情報管理装置（本社、本部側管理装置）２１１に転送する。転送されてきた特定画像情報（広告画像等）付きコピー出力の集計管理データは特定画像情報管理装置（本社、本部側管理装置）２１１の集計情報記憶管理部で、記憶管理される。本社、本部は各店から転送されてきた集計結果データを集め、さらに全体あるいは地域ごとに集計を行い、各々の特定画像情報（広告画像等）の分析を行う。
【０２２３】
このように本社、本部からの要求で各店のデジタル複写機の集計管理データを転送するので、本社、本部の調査分析したい時にいつでも不定期に、各店の特定画像情報（広告画像等）付きコピー出力の集計結果データを集めることができ、本社、本部が、地域を限定したり、特定の店に限定して特定画像情報（広告画像等）付きコピー出力の集計結果データを集めることができる。
【０２２４】
本社、本部の特定画像情報管理装置（本社、本部側管理装置）２１１は、各店のデジタル複写機に対し、各店で独自に作成された特定画像情報（広告画像等）の転送要求を出すと、転送の要求に応じて、各店のデジタル複写機はすでに説明した相互情報転送手段２１２を介して、本社、本部の特定画像情報管理装置（本社、本部側管理装置）２１１に転送する。本社、本部は、転送されてきた特定画像情報（広告画像等）を特定画像情報管理装置（本社、本部側管理装置）２１１に一旦記憶させ、本社、本部側がこれを確認して採用を決定すれば、特定画像情報管理装置（本社、本部側管理装置）２１１で管理を行うことができる。この特定画像情報（広告画像等）を上記の相互転送手段２１２を介して、他店のデジタル複写機に転送を行う。
【０２２５】
＜第８実施形態＞
次に、第８実施形態の画像情報処理システムは、カラーデジタル複写機に登録される特定画像情報（広告画像等）を、現在さまざまな形態で存在している通信インフラを利用して、本社、本部で一括して作成した特定画像情報（広告画像）を各店に対して転送するというデジタル画像情報処理システムを提供することをポイントとしている。
【０２２６】
以下、図６６を用いて、この画像情報処理システムについて説明する。
各店のデジタル複写機１の管理者が、操作パネルから特定画像情報転送要求手段、例えばシミュレーションコード入力により特定画像情報（広告画像等）の転送を要求する。すでに説明した相互情報転送手段（２１２，２１３）により、特定画像情報（広告画像等）の転送要求信号は本社、本部の特定画像情報管理装置２１１に転送され、この要求信号に応じて本社、本部の特定画像情報管理装置２１１は記憶管理している特定画像情報（広告画像等）などの特定画像情報データを各店のデジタル複写機１の通信ユニット（通信インターフェース）４７に転送する。転送された特定画像情報データは、すでにＣＭＹＫ信号であり、一旦中間調処理４１ｈを施して画像メモリ４３のハードディスク４３ａ〜４３ｄに記憶され、特定画像情報管理部４８で管理される。
【０２２７】
各店の特定画像情報（広告画像等）要求に応じて本社、本部側は特定画像情報（広告画像等）を転送するので、各店の都合の良い日時に、本社、本部から特定画像情報（広告画像等）の入手ができ、時間の余裕のある時に特定画像情報（広告画像等）の確認選択ができる。
【０２２８】
本社、本部の特定画像情報管理装置２１１は各店のための特定画像情報（広告画像等）を一括作成し、記憶管理していることはすでに説明した。特定画像情報（広告画像等）はタイムリー性が要求され、順次新しいものが作成され、古いものは削除される。但し記憶管理しているすべての特定画像情報（広告画像等）を一度に新規作成することは難しく、順次更新していく。従って定期的に転送する場合において、本社、本部の特定画像情報管理装置２１１は更新された特定画像情報（広告画像等）データだけを各店のデジタル複写機１の通信ユニット（通信インターフェース）４７に転送する。また各店からの転送要求信号に基づいて転送する場合においても、本社、本部の特定画像情報管理装置２１１は更新された特定画像情報（広告画像等）データだけを各店のデジタル複写機１の通信ユニット（通信インターフェース）４７に転送する。
【０２２９】
図７０は特定画像管理装置（本社、本部管理装置）２１１の管理テーブルを示している。管理番号２、３、８の前月管理特定画像情報（広告画像等）Ｂ、Ｃ、Ｈは今月も変更がなく、それ以外の前月特定画像情報（広告画像等）Ａ、Ｄ、Ｅ、Ｆ、Ｇ、は今月、新しい特定画像情報（広告画像等）Ｊ、Ｋ、Ｌ、Ｍ、Ｎに更新されており、更新された特定画像情報（広告画像等）は１のフラグがつけられ、更新されていない特定画像情報（広告画像等）には０のフラグがつけられている。１のフラグのつけられたすなわち更新された特定画像情報（広告画像等）のみを特定画像情報管理装置２１１は各店のデジタル複写機に転送する。
【０２３０】
本社、本部側から更新された特定画像情報（広告画像等）のみを各店のデジタル複写機に転送するので、転送時間が大幅に短縮でき、特定画像情報（広告画像等）の転送にかかるコストが安くできる。
【０２３１】
各店のデジタル複写機１の管理者は、転送されてきた特定画像情報（広告画像等）を確認するため、転送情報確認手段、例えばシミュレーションコード入力等により、デジタル複写機のタッチパネル液晶表示装置６１に特定画像情報（広告画像等）を表示させるか、あるいは特定画像情報（広告画像等）をデジタル複写機の持っている印字機能により用紙上に出力させることができる。本社、本部の特定画像情報管理装置２１１から相互情報転送手段（２１２，２１３）を介して各店のデジタル複写機に転送されてくる特定画像情報データを各店のデジタル複写機の管理者は確認し、選択する。
【０２３２】
このように、本社、本部から転送される特定画像情報（広告画像等）を、デジタル複写機の表示装置あるいはプリント出力して確認を行うので、本社、本部から転送された特定画像情報（広告画像等）データが、正常に送られたかどうか表示画面あるいは出力されたプリントで確認することができ、本社、本部から転送された特定画像情報（広告画像等）情報がその店にとって、必要か不要かの判断ができる。
【０２３３】
次に、転送された広告画像を一旦すべて画像メモリに記憶させる場合について説明する
各店のデジタル複写機１の管理者は、特定画像情報（広告画像等）を全て出力させ、その結果に基づいて、その店にふさわしいと思われる特定画像情報（広告画像等）だけを選択する。管理者は管理番号を操作パネル６０あるいはタッチパネル液晶表示装置６１から入力することにより、選択された特定画像情報（広告画像等）は画像メモリ４３にそのまま記憶される。選択されなかった特定画像情報データは、上記画像メモリ４３から自動的に消去される。他の例としては、タッチパネル液晶表示装置６１に特定画像情報（広告画像等）を順次表示し、その表示画面において確認及び選択をおこない、タッチパネル液晶表示装置６１上で登録、消去キーにより不要な特定画像情報（広告画像等）は画像メモリ４３から消去する。
【０２３４】
次に、転送されてくる広告画像を順次選択し、選択分のみ画像メモリに記憶させる場合について説明する。
本社、本部の特定画像情報管理装置２１１から相互情報転送手段（２１２，２１３）を介して各店のデジタル複写機の通信ユニット（ネットワークインターフェース）４７に転送される特定画像情報データを１つずつ画像メモリ４３に記憶させ、タッチパネル液晶表示装置６１に表示あるいは用紙上に出力することにより確認選択を行う。その結果、タッチパネル液晶表示装置６１上で登録、消去キーにより不要な特定画像情報（広告画像等）は画像メモリ４３から消去する。
【０２３５】
このように、本社、本部側から各店に送られてきた特定画像情報（広告画像等）を確認し、その中から選択した特定画像情報（広告画像等）情報をデジタル複写機に記憶させるので、限られたデジタル複写機の画像メモリを有効に使うことができ、本社、本部から転送されるあらゆるジャンルの特定画像情報（広告画像等）の中から、取捨選択することで、その店の特徴出しが可能となる。
【０２３６】
本社、本部は白黒デジタル複写機用に白黒の特定画像情報（広告画像等）も作成する。従って、特定画像情報管理装置２１１から相互情報転送手段（２１２，２１３）を介して各店のデジタル複写機に転送される特定画像情報データには、カラー特定画像情報（広告画像等）だけでなく、白黒特定画像情報（広告画像等）も含まれている。これを区別するために、特定画像情報データの最初の部分にカラーか白黒かの識別コードが付与されている。例えば図６６のＢ店のデジタル複写機が白黒デジタル複写機であるとすれば、Ｂ店の白黒デジタル複写機は、特定画像情報（広告画像等）データ転送に先立って、転送されてくるこの識別コードを認識することにより、白黒の特定画像情報データのみの転送を許可し、画像メモリ４３に記憶させる。一方、図６６の他のＡ店、Ｃ店のデジタル複写機がカラーデジタル複写機とすれば、特定画像情報（広告画像等）データ転送に先立って、転送されてくるカラーか白黒かの識別コードを認識し、カラーの特定画像情報データのみの転送を許可し、画像メモリ４３に記憶させ、特定画像情報管理部４８で管理する。
【０２３７】
このように、本社、本部からカラー、白黒混在して転送されてくる特定画像情報（広告画像等）を、白黒デジタル複写機は白黒特定画像情報（広告画像等）のみを、カラーデジタル複写機はカラー特定画像情報（広告画像等）のみを記憶管理するので、白黒デジタル複写機が設置された店では、本社、本部から転送されてくる特定画像情報（広告画像等）の中から白黒特定画像情報（広告画像等）のみの転送を許可することにより、転送時間の大幅短縮が可能である。
また、画像メモリの大幅削減が可能であり、カラーデジタル複写機が設置された店でも、カラー用特定画像情報（広告画像等）を識別し、カラー特定画像情報（広告画像等）のみを転送させることにより、転送時間の短縮が図れる。
【０２３８】
特定画像情報管理装置２１１から今月度の特定画像情報（広告画像等）データが転送されてくると、それと共に、あるいは先立って、デジタル複写機１側で記憶、管理されていた前月度の特定画像情報（広告画像等）は画像メモリ４３からすべて消去され、今月度の特定画像情報（広告画像等）に置き換えられる。実施例として図７２のデジタル画像記録装置（各店のデジタル複写機）の管理テーブルに示すように前月度の特定画像情報（広告画像等）はすべて自動的に消去され、デジタル複写機の管理者が、本社から転送されてくる特定画像情報（広告画像等）を選択する作業を毎月行い、デジタル複写機の画像メモリ４３に新たに記憶させ、管理を行う。
【０２３９】
１回の転送毎に複写機に記憶されている特定画像情報（広告画像等）は全て新たな転送画像に書き換えられるので、必要とする画像メモリ４３が増えることはなく、古い特定画像情報（広告画像等）は自動的に削除される為、時間的効率が良い。
【０２４０】
特定画像情報（広告画像等）の入力方法として図２にも示したようにカラーデジタル複写機１自身の原稿画像読み取り部２（スキャナ）、あるいはネットワーク接続されたパーソナルコンピュータ３２、デジタルカメラ３３、デジタルビデオカメラ３４、通信携帯端末３５などからの入力が可能である。従って各店で独自に特定画像情報（広告画像等）を作成することが可能であり、各店の特徴出しのために各店独自の特定画像情報（広告画像等）も必要である。各店の独自特定画像情報（広告画像等）と本社、本部から転送されてくる特定画像情報（広告画像等）とは区別する必要がある。それぞれの特定画像情報（広告画像等）は画像メモリ４３に記憶されるが、特定画像情報管理装置４８において別々に管理を行う。例として図７２のデジタル画像記録装置（各店のデジタル複写機）の管理テーブルに示すように、特定画像情報コードとして、本社、本部から転送されてくる特定画像情報には１、各店独自特定画像情報には０のコードを付与する。特定画像情報コードによりそれぞれを管理する。
【０２４１】
他の例として、画像メモリ４３において、各店独自の特定画像情報記憶エリアと本社、本店から転送されてくる特定画像情報記憶エリアを完全に分ける方法もある。複写機側から入力された特定画像情報（広告画像等）と、本社、本店側から転送されてきた特定画像情報（広告画像等）を分けて記憶管理するので、本社、本部からの特定画像情報（広告画像等）の転送時に、各店独自の特定画像情報（広告画像等）が誤って消去されることがなく、それぞれの特定画像情報（広告画像等）の検索が容易である。
【０２４２】
特定画像情報管理装置２１１（本社、本部側管理装置）から定期的に情報転送手段を介して特定画像情報（広告画像等）が転送されてくると、図７２に示したデジタル画像記録装置（各店のデジタル複写機）の管理テーブルの特定画像情報コードが１の特定画像情報（広告画像等）は全て消去される。その後デジタル複写機の管理者が、本社から転送されてくる特定画像情報（広告画像等）を選択する作業を行い、特定画像情報記憶エリアに新たに記憶させ、管理を行う。
【０２４３】
他の例を説明する。特定画像情報管理装置２１１（本社、本部側管理装置）から定期的に情報転送手段２１２を介して特定画像情報（広告画像等）が転送されてくると、図７３に示したデジタル画像記録装置（各店のデジタル複写機）の管理テーブルの特定画像情報コードが１の特定画像情報（広告画像等）は全て消去される。この点までは同じであるが、転送されてくる特定画像情報（広告画像等）が自動的に選択され、特定画像情報記憶エリアに新たに記憶されるところが異なる。本社、本部側の特定画像情報管理装置２１１で管理されている特定画像情報（広告画像等）は、管理番号が同じであれば、同一メーカー広告であったり、同じスポンサー広告であったり関連性を持たせて作成されている。従って、図７３に示したように予め選択した本社、本部側の管理番号をデジタル複写機に記憶させることにより、次月より自動的に同じ管理番号の特定画像情報（広告画像等）を記憶させることができる。
【０２４４】
１回の転送毎に複写機に記憶されている特定画像情報（広告画像等）は、本社、本部側から転送されてきた特定画像情報（広告画像等）に限って全て書き換えられるので、１回の転送ごとに、各店独自特定画像まで書き換えなくても良い為、時間的効率が良く、必要とする画像メモリが増えることもなく、古い特定画像情報（広告画像等）は自動的に削除される為、時間的効率が良い。また他の例の場合は、１回の転送ごとに特定画像情報（広告画像等）の選択の必要がなく、１度本社側の特定画像情報管理装置の管理番号を記憶させておけば、自動的に消去、記憶が可能である。
【０２４５】
１回の転送毎に複写機に記憶されている特定画像情報（広告画像等）は、本社、本部側から転送されてきた特定画像情報（広告画像等）に限って全て書き換えられることは、上記例と同じであるが、異なる点は、デジタル画像記録装置（各店のデジタル複写機）の管理テーブルの特定画像情報コードが１であっても特定画像情報（広告画像等）は全て消去されない点である。図７４に示すように特定画像情報管理装置２１１は本社側管理装置の管理テーブルにおいて、更新情報１のフラグのついた特定画像情報（広告画像等）のみを各店のデジタル複写機に転送する。これを受けてデジタル画像記録装置（各店のデジタル複写機）はあらかじめ選択、登録された本社側管理装置の管理番号と転送されてくる管理番号をチェックし、番号一致するものだけ前月度分の特定画像情報（広告画像等）を消去し、転送されてきた特定画像情報（広告画像等）を特定画像情報記憶エリアに記憶する。
【０２４６】
１回の転送毎に複写機に記憶されている特定画像情報（広告画像等）は、本社、本部側から転送されてきた特定画像情報（広告画像等）の更新された特定画像情報（広告画像等）に限って書き換えられるので、更新された特定画像のみが、前月度の特定画像に置き換えられ、転送時間を含めて処理トータルの時間が短くなる。
【０２４７】
図７２の管理テーブルに示すように、各店で作成された独自特定画像情報（広告画像等）の特定画像情報コードは０、本社、本部で作成された特定画像情報（広告画像等）は１と設定する。特定画像情報（広告画像等）の消去時は必ず特定画像情報コードを確認して、特定画像情報コードが１でなければ消去できないようにし、各店で独自に作成した特定画像情報（広告画像等）を保護する。特定画像情報（広告画像等）の中でも本社、本部側から通信されてくる情報により消去されないように保護するので、各店独自に作成した特定画像情報（広告画像等）が誤って削除されることはない。
【０２４８】
本社、本部で作成される特定画像情報（広告画像等）は全国共通のものもあれば、図７５のように、いくつかの地域に分割して、それぞれの地域にあった特定画像情報（広告画像等）を、本社、本部で一括作成し、本社の特定画像情報管理装置２１１は地域コードと共に記憶管理する。図中の白点は本社で黒点は各支店である。特定画像情報管理装置２１１は定期的に相互転送手段２１２を介して上記データを転送する。これを受けて各店のデジタル複写機１は、転送されてくる地域コードと、各店に設置された時にデジタル複写機１自身に登録された地域コードと合致しない特定画像情報データはスキップし、合致する特定画像情報（広告画像等）のみを転送を許可する。
【０２４９】
本社、本部から地域別に作成された特定画像情報（広告画像等）情報を各店のデジタル複写機に定期的に転送するので、地域色は出しながら、しかもある程度の範囲（地域）共通の特定画像情報（広告画像等）を本社側で作成するので、各店で独自に作成するより、コストは安くなる。また地域単位で同じ特定画像情報（広告画像等）が使用されるので、本社は広告スポンサーを集め易い。
【０２５０】
図７５のように、いくつかの地域に分割して、それぞれの地域にあった特定画像情報（広告画像等）を、本社、本部で一括作成し、本社の特定画像情報管理装置は地域コードと共に記憶管理するところまでは前述の実施例と同じである。異なる点はデジタル複写機側から、本社の特定画像管理装置２１１に対して相互情報転送手段２１２，２１３を介して、デジタル複写機の操作パネルから例えばシミュレーションコード入力等により、地域コード入力すると共に特定画像情報（広告画像等）の転送要求入力を行う。すでに説明した相互情報転送手段２１２，２１３により、地域コードと特定画像情報（広告画像等）の転送要求信号は本社もしくは本部の特定画像情報管理装置２１１に転送され、この要求信号に応じて本社、本部の特定画像情報管理装置２１１は記憶管理している特定画像情報（広告画像等）データの中から地域コードに合致した特定画像情報データを各店のデジタル複写機１に転送する。
【０２５１】
各店からの地域コード送信と共に地域別特定画像情報（広告画像等）情報の要求により、本社、本部から地域別の特定画像情報（広告画像等）を転送するので、各店の都合の良い日時に、特定画像情報（広告画像等）の入れ変えができる。また地域コードに合致したデータのみ、転送許可するので、時間的効率が良く、地域性豊かな特定画像情報（広告画像等）など、その地域特有の特定画像情報（広告画像等）が得られる。
【０２５２】
本社、本部の特定画像情報管理装置２1１から各店のデジタル複写機に特定画像情報（広告画像等）を転送するに当たって、特定画像情報管理装置２１１は各店のデジタル複写機１にあらかじめ登録されたマシン情報を入手する。そのため特定画像情報管理装置２１１はマシン情報転送要求手段を備えており、マシン情報の転送要求に応じ、デジタル画像記録装置（各店のデジタル複写機）は情報転送手段２１２，２１３を介してマシン情報を転送する。
デジタル画像記録装置（各店のデジタル複写機）のマシン情報に応じて、特定画像情報管理装置（本社、本部側管理装置）２１１は記憶管理している特定画像情報（広告画像等）の中から適切な特定画像情報（広告画像等）を自動選別して、定期的に上記情報転送手段２１２，２１３を介してデジタル画像記録装置（各店のデジタル複写機）に転送する。従って、毎回の特定画像情報（広告画像等）の転送時に、いろいろな設定をする必要がない。
【０２５３】
上記のマシン情報としてカラー機あるいは白黒機の情報と設置地域情報と言語対応情報等が考えられる。図７５のマシン情報テーブルに示すようにデジタル複写機がカラー機で有ればコード０、白黒機であればコード１とする。またデジタル複写機の設置地域が図７４に示したように分割されるとすれば東北・北海道のコード０、関東のコード１、中部のコード２、近畿のコード３、中国・四国のコード４、九州・沖縄のコード５とする。言語対応として日本語コード０、英語コード１、ドイツ語コード３、スペイン語コード４、中国語コード５とする。これらのコードのデジタル画像記録装置（各店のデジタル複写機）は情報転送手段２１２，２１３を介して特定画像情報管理装置２１１（本社、本部側管理装置）に転送する。
【０２５４】
このように、本社、本部側管理装置２１１は各店のデジタル複写機の設置地域コードを自動判定し、地域別に作成された適切な特定画像情報（広告画像等）情報を各店のデジタル複写機に定期的に転送するので、毎回の特定画像情報（広告画像等）の転送時に、設置地域情報の設定をする必要がない。また、地域コードに合致したデータのみ、転送許可するので、時間的効率が良く、地域性豊かな特定画像情報（広告画像等）など、その地域特有の特定画像情報（広告画像等）が得られる。
【０２５５】
これらのコードに対応して特定画像情報管理装置２１１（本社、本部側管理装置）は記憶管理している特定画像情報（広告画像等）の中から適切な特定画像情報（広告画像等）を自動選別して、定期的に上記情報転送手段を介してデジタル画像記録装置（各店のデジタル複写機）に転送する。本社、本部側管理装置２１１は各店のデジタル複写機の仕向け地、言語情報を自動判別し言語別に作成された適切な特定画像情報（広告画像等）情報を各店のデジタル複写機に定期的に転送するので、毎回の特定画像情報（広告画像等）の転送時に、言語対応情報の設定をする必要がない。また、海外の各店あるいは日本の中においても他言語デジタル複写機を使用する場合も考えられ、国際色豊かな特定画像情報（広告画像等）が得られる。
【０２５６】
＜第９実施形態＞
第９実施形態は、カラーデジタル複写機に登録された特定画像情報（広告画像等）と、複写するためにカラーデジタル複写機の所定位置にセットされた原稿の原稿画像情報を同じ用紙の上に合わせて記録するモードを、カラーデジタル複写機の機能の一部として搭載したものであり、通信インフラを利用したネットワーク環境下で本機能を効率よく運用するシステムとして構築したデジタル画像情報処理システムである。さらに本実施形態のポイントは、双方向性の通信インフラを利用し、本社、本部で一括して作成した特定画像情報（広告画像等）データを各店のデジタル複写機側では記憶管理せずに、本社、本部の特定画像情報管理装置あるいは各店のサーバーにおいて記憶管理し、必要時にのみ、その都度特定画像情報データを転送し、また転送と同時に特定画像情報（広告画像等）の集計管理をおこなうことである。これらのリアルタイムに集計されるデータを分析し、さらにより良い特定画像情報（広告画像等）を作成することにより、特定画像情報（広告画像等）付きコピーの利用率をあげることが狙いである。
【０２５７】
以下、図を用いて本発明のデジタル画像情報処理システムについてさらに説明する。
【０２５８】
まず、特定画像情報が各店のサーバーに記憶管理される場合について説明する。
図７７は、チェーン店組織のコンビニエンスストアを例にした相互情報転送手段２１２，２１３により特定画像情報（広告画像等）転送を各店のサーバーを介して行うデジタル画像情報処理システム図である。チェーン店組織でコピーサービスも行うスーパーマーケットやコンビニエンスストア等において、すでにシステムとして構築されているＰＯＳ端末等を管理するサーバーは、双方向性の通信インフラを利用し、本社、本部とネットワークで接続されている。このネットワークシステム（電話回線、専用線を用いたインターネットやイントラネット等の相互情報転送手段２１２）を利用し、本社、本部の特定画像情報管理装置２１１は、各店のために一括作成された特定画像情報（広告画像等）を、情報管理装置（各店のサーバー）２１４に対し転送を行なう。転送された特定画像情報データは情報管理装置（各店のサーバー）２１４のメモリ（ハードディスク等）に記憶される。情報管理装置（各店のサーバー）２１４とデジタル複写機１はネットワーク接続されている。
【０２５９】
コピー利用者は特定画像情報（広告画像等）付きコピーと通常のコピーの選択が可能である。複数のジャンルの中から所望の特定画像情報（広告画像等）付きコピーが選択されると、各店のデジタル複写機１は、特定画像情報転送要求手段により、所望する特定画像情報の転送を要求し、この転送要求に応じて、情報管理装置２１４（各店のサーバー）において記憶管理されている特定画像情報の中から、要求された特定画像情報が上記情報転送手段２１２，２１３を介してデジタル画像記録装置１（各店のデジタル複写機）側に転送される。以後の処理は、特定画像情報が本社、本部の特定画像情報管理装置に記憶管理されている場合と同じである。いずれの場合においても、特定画像情報（広告画像等）がデジタル複写機側で記憶管理されていないことがポイントである。広告画像は外部の広告画管理装置（本社、もしくはサーバー）に管理されており、デジタル複写機からの転送要求に応じて広告画像を転送するので、デジタル複写機側に特定画像情報（広告画像等）用のメモリが要らず、デジタル複写機本体の価格が下げられる。
【０２６０】
次にデジタル複写機側で特定画像情報（広告画像等）を確定するために、概略情報（サイズ、カラー／白黒、ジャンル、タイトル、縮小概略画像等）を用いる方法について説明する。特定画像情報管理装置（本社、本部側管理装置もしくは各店のサーバー）は記憶管理している特定画像情報（広告画像等）と共に、それぞれの特定画像情報に対応した概略情報（サイズ、カラー／白黒、ジャンル、タイトル、縮小概略画像等）を管理している。図７８は、本社、本部側管理装置もしくは各店のサーバーで管理されている概略情報の管理テーブルである。コピー利用者が広告画像付きコピーを選択すると、すでに説明した情報転送手段を介してデジタル画像記録装置（各店のデジタル複写機）に特定画像情報（広告画像等）の概略情報のみ転送される。各店のデジタル複写機に転送されてきた特定画像情報（広告画像等）の概略情報はメモリ４３に一時記憶される。
【０２６１】
図７９は、概略情報から特定画像情報（広告画像等）を確定するための操作画面フロー図である。操作画面フローを説明した図２７に対して、特定画像情報（広告画像等）をさらに限定するための例である。図２７（ｂ）で「電気製品広告」の選択エリアが押圧されると、概略情報管理テーブル（図７８）の中分類から電気製品に関するものが抽出され、図７９（ａ）の画面が表示される。
【０２６２】
次に「複写機」の選択エリアを押圧すると、図７９（ｂ）の画面が表示され、複写機に関する特定画像情報（広告画像等）の縮小概略画像２１９が現れる。選択キー２２０により、複写機に関する他の特定画像情報（広告画像等）を表示させることができる。特定画像情報が決まれば、「確定」の選択エリア２２１を押圧する。特定画像情報（広告画像等）が確定されるとデジタル複写機１から転送要求信号が出力され、転送要求に応じて、本社、本部側管理装置もしくは各店のサーバーからその都度、要求された特定画像情報（広告画像等）が情報転送手段を介してデジタル画像記録装置（各店のデジタル複写機）に転送される。
【０２６３】
転送されてきた特定画像情報（広告画像等）と、各店のデジタル複写機１の原稿画像情報入力手段から入力される原稿画像情報は、合成されて１枚の用紙上に出力される。広告画像を管理している外部の広告画像管理装置（本社もしくはサーバー）は、デジタル複写機からの要求により広告画像に関する情報を転送して、その後の確定された広告画像の要求に応じて広告画像を転送するので、デジタル複写機側に特定画像情報（広告画像等）用のメモリが要らず、デジタル複写機本体の価格が下げられる。また、コピー利用者は特定画像情報（広告画像等）を機械任せでなく、好みのものが選択できる。
【０２６４】
次に特定画像情報（広告画像等）の概略情報（サイズ、カラー／白黒、ジャンル、タイトル、縮小概略画像等）のみあらかじめデジタル複写機側で記憶、管理する場合について説明する。
特定画像情報管理装置（本社、本部側管理装置もしくは各店のサーバー）は記憶管理している特定画像情報（広告画像等）と共に、それぞれの特定画像情報に対応した概略情報（サイズ、カラー／白黒、ジャンル、タイトル、縮小概略画像等）を管理している。この概略情報は、すでに説明した情報転送手段を介してデジタル画像記録装置（各店のデジタル複写機）に定期的あるいはデジタル複写機からの転送要求に基づいて転送される。各店のデジタル複写機に転送されてきた特定画像情報（広告画像等）の概略情報は画像メモリ４３に記憶され、概略情報管理手段４８で管理される。
【０２６５】
すでに図７９を使って説明したように、デジタル複写機の概略情報管理手段４８で管理されている概略情報から特定画像情報（広告画像等）がコピー利用者によって確定される。特定画像情報（広告画像等）が確定されるとデジタル複写機１から転送要求信号が出され、転送要求に応じて、本社、本部側管理装置２１１もしくは各店のサーバー２１４からその都度、要求された特定画像情報（広告画像等）が情報転送手段２１２，２１３を介してデジタル画像記録装置（各店のデジタル複写機）に転送される。広告画像を管理している外部の広告画像管理装置（本社もしくはサーバー）は、デジタル複写機に対して広告画像に関する情報のみを転送して管理させておくので、デジタル複写機側に特定画像情報（広告画像等）用のフルメモリを持つ必要がなく、概略情報用の少しのメモリだけで良く、デジタル複写機本体の価格が下げられる。また、コピー利用者は特定画像情報（広告画像等）を機械任せでなく、好みのものが選択され、概略情報転送が不要な分、処理トータル時間が短い。
【０２６６】
これまでの説明は本社、本部あるいは各店のサーバーから特定画像情報（広告画像等）をデジタル複写機にその都度転送する内容であったが、以下に広告画像の利用状況を集計する方法について説明する。
特定画像情報（広告画像等）はすでに説明したようにいろいろなジャンルの中から利用者は選択可能であり、また、特定画像情報（広告画像等）を選択せずに通常のコピーも可能である。従って、特定画像情報（広告画像等）付きコピーがどれだけ利用されているか、また、どの特定画像情報（広告画像等）が良く選択されているか等を知ることは、本社、本部にとって更に広告主（スポンサー）にとって、効果を計る方法の一つであり、どれだけの効果があったかは非常に重要な問題である。
【０２６７】
特定画像情報（広告画像等）の集計の例を次に説明する。
各店のデジタル複写機１からの特定画像情報（広告画像等）の転送要求に応じて、特定画像情報管理装置（本社、本部側管理装置もしくは各店のサーバー）はその都度、要求された特定画像情報を、情報転送手段を介して各店のデジタル複写機１に転送すると同時に、特定画像情報管理装置（本社、本部側管理装置もしくは各店のサーバー）は、転送した特定画像情報（広告画像等）の集計管理を行なう。各デジタル複写機個々の集計データを集める必要がなく、広告画像の転送と同時にリアルタイムに集計ができる。図８０は本社、本部の特定画像情報管理装置において広告画像毎に集計管理されている管理テーブルの一例を示している。広告画像毎に転送した回数、すなわち利用された回数がリアルタイムに示されている。また、これらの集計管理情報は各店にとっても有用な情報である。各店のサーバーは、集計管理情報の転送を要求することにより本社、本部の特定画像情報管理装置から、リアルタイムの集計管理情報を得ることができる。
【０２６８】
広告画像を管理している外部の広告画像管理装置（本社もしくはサーバー）は、デジタル複写機からの要求により広告画像を転送するごとに、転送した広告画像の集計を行なうので、各デジタル複写機個々の集計データを集める必要がなく、広告画像の転送と同時にリアルタイムに集計ができる。また、いつでも集計データが分析でき、よりタイムリーな特定画像情報（広告画像等）作りが可能となり、本社、本部のリアルタイムの集計データを各店へ転送することにより、各店でもリアルタイムに集計結果を把握できる。
【０２６９】
＜第１０実施形態＞
第１０実施形態は、各店のサーバーが、本社、本部の特定画像情報管理装置から転送されてきた複数の特定画像情報（広告画像等）の中からカラーデジタル複写機に適した特定画像情報（広告画像等）を選択し、確定してからカラーデジタル複写機に転送する画像情報処理システムである。
図７７において、各店のサーバー２１４はデジタル画像記録装置（各店のデジタル複写機）の特徴（カラーデジタル複写機、白黒デジタル複写機、コピー可能サイズなど）に適した特定画像情報（広告画像等）を選択、確定し、デジタル画像記録装置（各店のデジタル複写機）に転送する。図７７において、Ａストアのデジタル複写機はカラーデジタル複写機１−ａであり、Ｂストアのデジタル複写機は白黒デジタル複写機１−ｂであるとすると、Ａストアのサーバー２１４は本社、本部の特定画像情報管理装置２１１から転送されてきた複数の特定画像情報（広告画像等）の中からカラーデジタル複写機に適した特定画像情報（広告画像等）を選択し、確定してからＡストアのカラーデジタル複写機１−ａに転送する。
【０２７０】
またＢストアのサーバー２１４は本社、本部の特定画像情報管理装置２１１から転送されてきた複数の特定画像情報（広告画像等）の中から白黒デジタル複写機に適した特定画像情報（広告画像等）を選択し、確定してからＢストアの白黒デジタル複写機１−ｂに転送する。相互情報転送手段として衛星を用いた衛星通信網や、地上波通信（図示せず）などもある。本社、本部から転送されてきた広告画像が各店のサーバー２１４が管理すると共に、サーバー２１４において広告画像情報を確定してからデジタル複写機に転送するので、限られたデジタル複写機の画像メモリ４３を有効に使うことができる。また、サーバー２１４に特定画像情報（広告画像等）が転送されるので、デジタル複写機が使用中であっても転送に支障が生じない。
【０２７１】
特定画像情報（広告画像等）を確認する方法の実施例について以下に説明する。
情報管理装置（各店のサーバー）２１４に対し、特定画像情報管理装置２１１（本社、本部側管理装置）から転送されてくる特定画像情報（広告画像等）を確認する手段として、図８０に示したようにサーバーの表示装置に表示させて確認することができる。特定画像情報（広告画像等）の概略情報（ジャンル、サイズ、地域情報、言語情報、カラー／白黒、縮小概略画像など）が表示されている。また図８１に示したサーバー２１４表示画面上の「確認印刷」の選択エリアを指で押圧することにより、デジタル複写機１に特定画像情報（広告画像等）データを転送し、デジタル複写機１の出力手段によって１枚の用紙上に１つの特定画像情報（広告画像等）をプリントすることができる（図８２）。あるいは１枚の用紙上に複数の特定画像情報（広告画像等）をプリントすることもできる（図８２）。
【０２７２】
確認印刷の場合、各店のサーバー２１４から各店のデジタル複写機１の通信ユニット（通信インターフェース）４７に特定画像情報データが転送される、転送された特定画像情報データはすでにＣＭＹＫ信号であり、一旦中間調処理４１ｈを施して画像メモリ４３のハードディスク４３ａ〜４３ｄに記憶され、すでに説明した一連のプリント動作により用紙上にプリントすることができる。実施例ではタッチパネル式の表示装置で説明したが、通常マウス操作で指示する方法がよく用いられる。本社、本部から転送されてきた広告画像を確認するため、サーバーからの指示によりデジタル複写機から広告画像を出力することができるので、本社、本部から転送された特定画像情報（広告画像等）データが、正常に送られたかどうか出力されたプリントで確認することができる。また、本社、本部から転送された特定画像情報（広告画像等）情報がその店にとって、必要か不要かの判断が容易にできる。
【０２７３】
特定画像情報（広告画像等）は情報管理装置（各店のサーバー）２１４の表示装置で確認するか、あるいはデジタル複写機の特定画像情報（広告画像等）データを転送し、サーバーからの指示により、特定画像情報（広告画像等）をプリントすることにより確認することができる（図８１、図８２、図８３）。確認された画像情報の中から所望する特定画像情報を図８１のサーバー２１４のタッチパネル式表示装置において「確定」選択エリアを指で押圧することにより確定すると共に、確定された特定画像情報（広告画像等）のみをデジタル画像記録装置（各店のデジタル複写機）の特定画像情報記憶手段４３に記憶させ、特定画像情報管理手段４８によって管理する。本社、本部側からサーバーに転送されてきた広告画像を確認して、その中から選択した広告画像をデジタル複写機に対して転送するので、限られたデジタル複写機の画像メモリを有効に使うことができるし、本社、本部から転送されるあらゆるジャンルの特定画像情報（広告画像等）の中から、取捨選択することで、その店の特徴出しが可能となる。
【０２７４】
次に自動選択、確定の方法の実施例を以下に説明する。情報管理装置（各店のサーバー）２１４に接続されているデジタル複写機のマシン情報（カラー複写機／白黒デジタル複写機、コピー可能サイズ、設置地域情報、言語対応情報など）を各店のサーバー２１４に記憶させておき、転送されてきた特定画像情報（広告画像等）の特徴情報（カラー画像、白黒画像、画像サイズ、設置地域情報、言語対応情報など）と合致するものを選択し、確定する。図８４は転送されてきた特定画像情報の特徴を示す概略情報管理テーブルである。広告画像の特徴（カラー画像、白黒画像、画像サイズなど）とデジタル複写機のマシン情報（カラー複写機／白黒デジタル複写機、コピー可能サイズ、設置地域情報、言語対応情報など）から転送する広告画像を確定するので、転送時間が大幅に短縮できる。特定画像情報（広告画像等）の転送にかかるコスト削減が図れるとともに、画像メモリの大幅削減が可能である。
【０２７５】
次にスーパーマーケットやコンビニエンスストア等においてシステムとして構築されているＰＯＳ端末等を管理するサーバー２１４に、複数のデジタル複写機が接続されている図７７のＣストアのような場合を想定して説明する。
【０２７６】
このネットワークシステム（電話回線、専用線を用いたインターネットやイントラネット等の相互情報転送手段２１２）において、本社、本部の特定画像情報管理装置２１１は、各店のために一括作成された特定画像情報（広告画像等）を、情報管理装置（各店のサーバー）２１４に対し転送を行なう。転送された特定画像情報データは情報管理装置（各店のサーバー）２１４のメモリ（ハードディスク等）に記憶される。各店のサーバー２１４は、各店に設置された複数のデジタル複写機それぞれの特徴（カラーデジタル複写機、白黒デジタル複写機、コピー可能サイズなど）に適した特定画像情報（広告画像等）を選択、確定し、各店のそれぞれのデジタル複写機に転送する。
【０２７７】
図７７の実施例により説明すると、Ｃストアのサーバー２１４には複数のデジタル複写機が接続されており、一台のカラーデジタル複写機１−ａであり、もう一台は白黒デジタル複写機１−ｂであるとすると、Ｃストアのサーバー２１４は本社、本部の特定画像情報管理装置２１１から転送されてきた特定画像情報（広告画像等）の中からそれぞれのデジタル複写機に適した特定画像情報（広告画像等）を選択し、確定してからＣストアのカラーデジタル複写機１−ａと白黒デジタル複写機１−ｂに転送する。
【０２７８】
本社側から転送されてきた広告画像を各店のサーバーが管理すると共に、サーバーが管理している複数のデジタル複写機に対して、サーバーが管理している広告画像を確定して転送するので、本社、本部は各デジタル複写機毎に特定画像情報（広告画像等）を転送する必要がなく、各店のサーバーにのみ転送するので、転送時間の大幅短縮がはかれ、転送にかかるコストが削減できる。また、サーバーに特定画像情報（広告画像等）が転送されるので、複数のデジタル複写機が使用中であっても転送に支障が生じない。
【０２７９】
情報管理装置（各店のサーバー）２１４が管理する複数のデジタル画像記装置（各店のデジタル複写機）それぞれに転送された、各デジタル画像記録装置に対して最適な特定画像情報（広告画像等）の確認のため、それぞれのデジタル複写機の出力手段によって用紙上にプリントが可能である。図７７の実施例で説明すると、Ｃストアのサーバー２１４からカラーデジタル複写機１−ａと、白黒デジタル複写機１−ｂのそれぞのデジタル複写機に適した特定画像情報（広告画像等）の転送が行われるが、転送された特定画像情報（広告画像等）の確認のために、サーバー２１４からの指示によって、カラーデジタル複写機１−ａと、白黒デジタル複写機１−ｂのそれぞれのデジタル複写機において、用紙上にプリントすることができる。またサーバー２１４からの指示ではなく、それぞれのデジタル複写機でのプリント指示操作によっても転送された特定画像情報（広告画像等）の確認が可能である。図８３はカラーデジタル複写機用、関西地区および全国向け用、日本語対応として確定され転送されてきた特定画像情報の電気製品／複写機分野のプリント例である。
【０２８０】
サーバーにて確認され、各デジタル複写機に転送された広告画像は、各デジタル複写機側において、確認のため出力することができるので、サーバーから転送された特定画像情報（広告画像等）データが、正常に送られたかどうか出力されたプリントで確認することができる。また、出力された特定画像情報（広告画像等）が、出力したデジタル複写機の特徴に合致しているか、視覚的に判断できる。
【０２８１】
これまでの説明では本社、本部から一方的に特定画像情報（広告画像等）を転送する内容であったが、各店のサーバー２１４からの転送要求に基づいて特定画像情報（広告画像等）を転送する場合について説明する。
【０２８２】
各店のサーバー２１４の管理者は、サーバーから本社、本部に対して特定画像情報（広告画像等）の転送要求を行なうと、すでに説明した相互情報転送手段（２１２，２１３）により、転送要求信号は本社、本部の特定画像情報管理装置２１１に送られ、この要求信号に応じて本社、本部の特定画像情報管理装置２１１は記憶管理している特定画像情報（広告画像等）データを各店のサーバー２１４に転送する。転送された特定画像情報データはサーバー２１４の画像メモリ（ハードディスク等）に一旦記憶される。各店のサーバー２１４からの広告画像要求に応じて本社側は広告画像情報を転送するので、各店の都合の良い日時に、本社、本部から特定画像情報（広告画像等）の入手ができる。また、サーバー２１４に特定画像情報（広告画像等）が転送されるので、デジタル複写機が使用中であっても支障が生じない。
【０２８３】
各店のサーバー２１４から本社、本部に対して特定画像情報（広告画像等）の転送要求を行なう際に、サーバー２１４から、サーバー２１４に接続されているデジタル複写機１のマシン情報（カラー複写機／白黒デジタル複写機、コピー可能サイズ、設置地域情報、言語対応情報など）を本社、本部の特定画像情報管理装置２１１に転送要求信号と共に転送する。すでに説明した相互情報転送手段（２１２，２１３）により、マシン情報と転送要求信号は本社、本部の特定画像情報管理装置２１１に送られ、この要求信号に応じて本社、本部の特定画像情報管理装置２１１は記憶管理している特定画像情報（広告画像等）データの中からマシン情報に合致する特定画像情報（広告画像等）データのみを各店のサーバー２１４に転送する。各店のサーバーは本社、本部側に対して広告画像の転送要求を行う際に、転送を要求する画像を特定するような情報（地域情報、カラー画像、白黒画像、画像サイズなど）を転送するので、特定画像情報（広告画像等）の転送時間が大幅に短縮でき、特定画像情報（広告画像等）の転送にかかるコストが安くできる。また、デジタル複写機の画像メモリの大幅削減が可能である。
【０２８４】
これまでの説明は本社、本部から各店のサーバー２１４に特定画像情報（広告画像等）を転送する内容であったが、以下に各店のサーバー２１４が管理している複数台のデジタル複写機における広告画像の利用状況を集計すると共に、本社、本部側にその集計結果を転送するフィードバックシステムについて説明する。
【０２８５】
各店のサーバー２１４に接続されてデジタル複写機１に記憶管理されている、特定画像情報（広告画像等）は（操作画面フローの説明）で説明したようにいろいろなジャンルの中から利用者は選択可能であり、また特定画像情報（広告画像等）を選択せずに通常のコピーも可能である。従って各店では特定画像情報（広告画像等）付きコピーがどれだけ利用されているか、またどの特定画像情報（広告画像等）が良く選択されているか等を知ることは、本社、本部にとって更には広告主（スポンサー）にとって、効果を計る方法の一つであり、どれだけの効果があったかは非常に重要な問題である。
【０２８６】
特定画像情報（広告画像等）の集計の実施例を次に説明する。
図８５は月単位で通常のコピーと特定画像情報（広告画像等）付きコピーの出力数をそれぞれ比較した例で、特定画像情報管理部４８により集計管理は行われる。図８６は例としてＡからＪの特定画像情報（広告画像等）があったとして先月と今月、特定画像情報（広告画像等）付きコピーとしてどれだけ出力されたかを示している。各々の特定画像情報（広告画像等）付きコピー毎の出力数は、デジタル複写機１の特定画像情報管理部４８により集計管理を行う。
【０２８７】
このようにデジタル複写機ごとに、特定画像情報管理部４８において集計結果は管理されている。デジタル複写機が複数台接続されたサーバー２１４はさらに各デジタル複写機の集計結果をまとめて管理し、特定画像情報（広告画像等）付きコピー出力の集計管理データを定期的に、あるいは本社、本部が要求した時に、すでに説明した相互情報転送手段を介して本社、本部の特定画像情報管理装置（本社、本部側管理装置）に転送する。本社、本部は各店から転送されてきた集計結果データを集め、さらに全体あるいは地域ごとに集計を行い、各々の特定画像情報（広告画像等）の分析を行う。
【０２８８】
他の実施例として、各デジタル複写機においては集計管理を行なわずに、特定画像情報（広告画像等）付きコピーが出力されるたびに各デジタル複写機１は直接サーバー２１４にデータを転送し、サーバーにおいて集計管理を行なうことも可能である。各店のサーバーは管理している複数台のデジタル複写機における広告画像の利用状況を集計すると共に、本社、本部側にその集計結果を転送するので、各店のサーバーに複数のデジタル複写機の集計結果が集まり、各店で特定画像情報（広告画像）の分析ができ、次回からの特定画像情報の選択の判断材料になる。また、本社、本部は、さらにこれらの情報を集計し、分析することにより、特定画像情報（広告画像等）の継続、新規作成の判断ができ、より良い特定画像情報（広告画像等）の作成ノウハウが蓄積できる。さらに本社、本部における広告主（スポンサー）の開拓に集計データや分析データが利用できる。
【０２８９】
各店から本社、本部の特定画像情報管理装置（本社、本部側管理装置）に集まってくる特定画像情報（広告画像等）付きコピー出力の集計管理データを、本社、本部はさらに全国あるいは地域ごとに集計を行い、分析を行なう。これらの集計管理情報や分析情報は各店にとっても有用な情報である。各店の情報管理装置（各店のサーバー）は、集計管理情報（全国、地域集計情報、他店集計情報など）の転送を要求する集計情報転送要求信号を本社、本部の特定画像情報管理装置（本社、本部側管理装置）に転送する。
【０２９０】
この集計管理情報の要求に応じて、特定画像情報管理装置（本社、本部側管理装置）は、管理している集計管理情報（全国、地域集計情報、他店集計情報など）を情報転送手段を介して情報管理装置（各店のサーバー）に転送する。そして、転送されてきた集計管理情報に基づいて必要と思われる特定画像情報（広告画像等）が存在すれば、先に説明した特定画像情報の転送要求手段を用いて本社、本部の特定画像情報管理装置（本社、本部側管理装置）に要求する。
【０２９１】
【発明の効果】
本発明によれば、あらかじめ複写機に登録されている特定画像情報と、複写するために複写機にセットされた原稿の原稿画像情報を同じ用紙の上に合わせて記録することにより、画像編集記録装置を設置する側にとってみれば、不特定多数の人に伝えたい情報を広告画像としてコピー画像と共に記録することが可能となる。一方、この画像編集記録装置を利用する利用者側からみれば、自分自身が必要とする原稿の画像情報を損なうこともなく特定画像が付加されたコピーが出力されるだけであって、特に問題にもならない。逆に、原稿画像情報とは異なるいろんな情報が得られ、特定画像が例えば広告画像であった場合は広告料を徴収できるので、コピー料金が下がる利点がある。
【０３１３】
特に、原稿画像情報が有している特徴を維持し、また特定画像情報が有している特徴を所定の状態にする処理を行うので、これら画像情報が１つの画像に合成されても、互いに直接影響を与えることなく、画像情報それぞれが意図する情報内容を表現伝達できる。
【図面の簡単な説明】
【図１】  本発明に係る画像編集記録装置の実施形態であるカラーデジタル複写機の構成を示す概略断面図である。
【図２】  カラーデジタル複写機を核としたネットワークシステム示す構成図である。
【図３】  カラーデジタル複写機に含まれている画像処理部分のブロック図である。
【図４】  デジタル複写機の装置全体の各部を中央制御装置より動作管理を示すブロック図である。
【図５】  カラーデジタル複写機における操作パネルを示す構成図である。
【図６】  液晶表示装置に順次表示されるコピーサービス店向け操作画面の一例を示した説明図である。
【図７】  図６に続いて液晶表示装置に順次表示されるコピーサービス店向け操作画面の一例を示した説明図である。
【図８】  本発明に係る画像編集記録装置であるカラーデジタル複写機の第１実施形態を示すブロック図である。
【図９】  白黒原稿とカラー広告情報を合成する場合を示す説明図である。
【図１０】  境界画像として、境界線を合成する説明図である。
【図１１】  境界画像として、広告画像の背景カラーを一定濃度ベタパターンとした説明図である。
【図１２】  境界画像として、広告画像がより目立つように特定色の網掛けパターンを用いた説明図である。
【図１３】  画像編集記録装置の第２実施形態を示すブロック図である。
【図１４】  カラー原稿とカラー広告を合成する場合、原稿の方を白黒とする合成処理を示す説明図である。
【図１５】  白黒原稿と白黒広告を合成する場合、原稿の方をカラーとする合成処理を示す説明図である。
【図１６】  第２実施形態の他の例を示すブロック図である。
【図１７】  カラー原稿とカラー広告を合成する場合、広告の方を白黒とする合成処理を示す説明図である。
【図１８】  第２実施形態の他の例を示すブロック図である。
【図１９】  第２実施形態の他の例を示すブロック図である。
【図２０】  Ｂ５原稿画像を１．２倍に拡大処理した場合の合成処理を示す説明図である。
【図２１】  原稿画像を０．９倍に縮小処理した場合の合成処理を示す説明図である。
【図２２】  原稿画像情報のサイズ毎に、所定の縦縮小倍率を設定する場合の合成処理を示す説明図である。
【図２３】  第１の処理に優先して第２の処理を確定し、残りとして確保された領域の面積に応じて第１の処理を確定し、広告画像強調の合成処理を示す説明図である。
【図２４】  第２実施形態の他の例を示す機能ブロック図である。
【図２５】  出力用紙サイズを基に第１の処理および第２の処理を行った場合の合成処理を示す説明図である。
【図２６】  原稿画像情報と広告画像情報を等倍にて処理した場合の合成処理を示す説明図である。
【図２７】  第３実施形態における液晶表示装置に順次表示されるコピーサービス店向け操作画面の一例を示した説明図である。
【図２８】  カラー複写機の第３実施形態を示す部分ブロック図である。
【図２９】  広告画像情報の 期限情報に関する管理テーブルの説明図である。
【図３０】  広告ジャンルが選択できる操作画面の一例を示した説明図である。
【図３１】  原稿画像と広告画像を合成する場合に広告画像と有効期限情報を共に記録する説明図である。
【図３２】  選択可能な広告を表示した操作画面の一例を示した説明図である。
【図３３】  広告選択後の操作画面の一例を示した説明図である。
【図３４】  特定画像情報管理部による広告画像の記憶管理処理を示すフローチャートである。
【図３５】  特定画像情報管理部による広告画像の他の記憶管理処理を示すフローチャートである。
【図３６】  特定画像情報管理部４８による広告画像の他の記憶管理処理を示すフローチャートである。
【図３７】  広告画像を確認する場合、広告を表示した操作画面の一例を示した説明図である。
【図３８】  広告画像を確認する場合、広告を画像情報出力部から出力した画像の一例を示した説明図である。
【図３９】  広告画像を確認する場合、広告画像に関する付加情報と共に広告を表示した操作画面の一例を示した説明図である。
【図４０】  広告画像を確認する場合、広告画像に関する付加情報と共に広告を画像情報出力部から出力した画像の一例を示した説明図である。
【図４１】  広告画像を確認する場合、広告画像に関する付加情報と共に広告を、分野別に画像情報出力部から出力した画像の一例を示した説明図である。
【図４２】  第４実施形態において、操作パネル６０の略中央部分に配置されたタッチパネル付き液晶表示装置６１に順次表示されるコピーサービス向け操作画面の一例を示したものである。
【図４３】  各広告画像情報の通常コピー料金との価格比を示す表である。
【図４４】  用紙サイズ毎の各広告画像の通常コピー料金との価格比を示す表である。
【図４５】  第１の出力モードの出力数と第２の出力モードの出力数の集計を月単位で示す表である。
【図４６】  各広告画像毎に月単位で集計し先月と今月分を示した表である。
【図４７】  用紙サイズ別に広告画像毎に月単位で集計し今月分を示す表である。
【図４８】  広告主別にカツ用紙サイズ別に広告画像ごとに月単位で集計し先月分と今月分、又広告主の広告入り合成コピーの総数を示した表である。
【図４９】  第５実施形態における原稿サイズ別に広告画像を管理するための集計管理テーブルを示す説明図である。
【図５０】  第５実施形態における第１出力モードと第２出力モードのブロック図である。
【図５１】  第５実施形態における他の第２の出力モードのブロック図を示す。
【図５２】  時間帯により選択エリアの分野が変わる操作画面の一例を示す説明図である。
【図５３】  時間情報で表示部に選択可能な情報として表示される内容を切り換えさせるための管理テーブルを示す説明図である。
【図５４】  暦情報で表示部に選択可能な情報として表示させる内容を切り換えさせるための管理テーブルを示す説明図である。
【図５５】  Ａ４サイズを例とした原稿種類を示す説明図である。
【図５６】  広告画像の位置を指示確定をするための操作画面の一例を示す説明図である。
【図５７】  原稿を上下逆さまにセットし、補正処理せずに広告画像と合成コピーする説明図である。
【図５８】  原稿を上下逆さまにセットし、入力された原稿画像データを処理して広告画像と合成コピーする説明図である。
【図５９】  原稿を上下逆さまにセットし、選択された広告画像データを処理して原稿画像と合成コピーする説明図である。
【図６０】  広告画像位置に対応する各種Ａ４用広告画像の説明図である。
【図６１】  図５５に基づいて図６６から画像を選択して合成コピーする説明図である。
【図６２】  広告画像位置を自動確定するための広告画像位置管理テーブルを示す説明図である。
【図６３】  原稿画像と、広告位置を選択できる広告入り合成画像を表示する操作画面の一例を示す説明図である。
【図６４】  上下逆さまの原稿画像と、広告位置を選択できる広告入り合成画像を表示する操作画面の一例を示す説明図である。
【図６５】  第７実施形態のカラーデジタル複写機のブロック図である。
【図６６】  第７実施形態におけるチェーン店組織のコンビニエンスストアを例にした相互情報転送手段により特定画像情報転送を行うデジタル画像情報処理システムの説明図である。
【図６７】  月単位の通常コピー出力数と広告画像付きコピー出力数が比較できる集計管理テーブルの説明図である。
【図６８】  各種広告画像毎の出力数を月単位で示した集計管理テーブルの説明図である。
【図６９】  広告主毎の総出力数を月単位で示した集計管理テーブルの説明図である。
【図７０】  第８実施形態における本社、本部の特定画像情報管理装置の特定画像情報管理テーブルの説明図である。
【図７１】  カラーデジタル複写機の管理テーブルの説明図である。
【図７２】  各店で独自に作成された広告画像と本社、本部で作成された広告画像を分けて管理するためのカラーデジタル複写機の管理テーブルの説明図である。
【図７３】  本社、本部側で選択された広告画像の管理番号をカラーデジタル複写機側記憶させる場合の本社、本部側の管理テーブルとカラーデジタル複写機の管理テーブルの説明図である。
【図７４】  本社、本部側で選択された広告画像の管理番号と更新情報をカラーデジタル複写機側記憶させる場合の本社、本部側の管理テーブルとカラーデジタル複写機の管理テーブルの説明図である。
【図７５】  チェーン店を地域別に分け、地域コードに割り振った説明図である。
【図７６】  カラーデジタル複写機のマシン情報テーブルである。
【図７７】  第９実施形態におけるチェーン店組織のコンビニエンスストアを例にした相互情報転送手段により特定画像情報（広告画像等）転送を各店のサーバーを介して行うデジタル画像情報処理システムの説明図である。
【図７８】  本社、本部側特定画像情報管理装置もしくは各店のサーバーで管理されている管理テーブルの説明図である。
【図７９】  概略情報から特定画像情報（広告画像等）を確定するための操作画面の一例を示す説明図である。
【図８０】  本社、本部側の特定画像情報管理装置における広告画像毎に集計管理されている管理テーブルの説明図である。
【図８１】  第１０実施形態における広告画像の確認、選択を行うための各店のサーバーの操作画面の一例を示す説明図である。
【図８２】  広告画像を確認のため１枚の用紙に１つの広告画像を印刷した説明図である。
【図８３】  広告画像を確認のため１枚の用紙に複数の広告画像を印刷した説明図である。
【図８４】  本社、本部から転送されてくる広告画像の特徴の概略情報に関する概略情報管理テーブルの説明図である。
【図８５】  月単位の通常コピー出力数と広告画像付きコピー出力数が比較できる集計管理テーブルの説明図である。
【図８６】  各種広告画像情報毎の出力数を月単位で示した集計管理テーブルの説明図である。
【符号の説明】
４０  画像データ入力部
４１  画像処理部
４２  画像データ出力部
４３  画像メモリ
４３ａ〜４３ｄ  ハードディスク
４３ｅ  合成用メモリ
４３ｆ  遅延用メモリ
４４  中央処理装置
４５  画像編集部
４６，４７  外部インターフェイス部
４８  特定画像情報管理部
１０１  画像入力手段
１０２  特定画像情報メモリ
１０３  第１の処理部
１０４  第２の処理部
１０５  画像情報合成部
１０６  黒画像記録部
１０７  カラー画像記録部
【図１】
0003640522.tif 000002
【図２】
0003640522.tif 000003
【図３】
0003640522.tif 000004
【図４】
0003640522.tif 000005
【図５】
0003640522.tif 000006
【図６】
0003640522.tif 000007
【図７】
0003640522.tif 000008
【図８】
0003640522.tif 000009
【図９】
0003640522.tif 000010
【図１０】
0003640522.tif 000011
【図１１】
0003640522.tif 000012
【図１２】
0003640522.tif 000013
【図１３】
0003640522.tif 000014
【図１４】
0003640522.tif 000015
【図１５】
0003640522.tif 000016
【図１６】
0003640522.tif 000017
【図１７】
0003640522.tif 000018
【図１８】
0003640522.tif 000019
【図１９】
0003640522.tif 000020
【図２０】
0003640522.tif 000021
【図２１】
0003640522.tif 000022
【図２２】
0003640522.tif 000023
【図２３】
0003640522.tif 000024
【図２４】
0003640522.tif 000025
【図２５】
0003640522.tif 000026
【図２６】
0003640522.tif 000027
【図２７】
0003640522.tif 000028
【図２８】
0003640522.tif 000029
【図２９】
0003640522.tif 000030
【図３０】
0003640522.tif 000031
【図３１】
0003640522.tif 000032
【図３２】
0003640522.tif 000033
【図３３】
0003640522.tif 000034
【図３４】
0003640522.tif 000035
【図３５】
0003640522.tif 000036
【図３６】
0003640522.tif 000037
【図３７】
0003640522.tif 000038
【図３８】
0003640522.tif 000039
【図３９】
0003640522.tif 000040
【図４０】
0003640522.tif 000041
【図４１】
0003640522.tif 000042
【図４２】
0003640522.tif 000043
【図４３】
0003640522.tif 000044
【図４４】
0003640522.tif 000045
【図４５】
0003640522.tif 000046
【図４６】
0003640522.tif 000047
【図４７】
0003640522.tif 000048
【図４８】
0003640522.tif 000049
【図４９】
0003640522.tif 000050
【図５０】
0003640522.tif 000051
【図５１】
0003640522.tif 000052
【図５２】
0003640522.tif 000053
【図５３】
0003640522.tif 000054
【図５４】
0003640522.tif 000055
【図５５】
0003640522.tif 000056
【図５６】
0003640522.tif 000057
【図５７】
0003640522.tif 000058
【図５８】
0003640522.tif 000059
【図５９】
0003640522.tif 000060
【図６０】
0003640522.tif 000061
【図６１】
0003640522.tif 000062
【図６２】
0003640522.tif 000063
【図６３】
0003640522.tif 000064
【図６４】
0003640522.tif 000065
【図６５】
0003640522.tif 000066
【図６６】
0003640522.tif 000067
【図６７】
0003640522.tif 000068
【図６８】
0003640522.tif 000069
【図６９】
0003640522.tif 000070
【図７０】
0003640522.tif 000071
【図７１】
0003640522.tif 000072
【図７２】
0003640522.tif 000073
【図７３】
0003640522.tif 000074
【図７４】
0003640522.tif 000075
【図７５】
0003640522.tif 000076
【図７６】
0003640522.tif 000077
【図７７】
0003640522.tif 000078
【図７８】
0003640522.tif 000079
【図７９】
0003640522.tif 000080
【図８０】
0003640522.tif 000081
【図８１】
0003640522.tif 000082
【図８２】
0003640522.tif 000083
【図８３】
0003640522.tif 000084
【図８４】
0003640522.tif 000085
【図８５】
0003640522.tif 000086
【図８６】
0003640522.tif 000087